(57)【要約】  複数の参照サンプルラインを用いて画面内予測を行う画像符号化／復号化方法及び装置が提供される。画像復号化方法は、複数の参照サンプルラインを構成するステップと、現在ブロックの画面内予測モードを復元するステップと、前記複数の参照サンプルライン及び前記画面内予測モードに基づいて前記現在ブロックに対する画面内予測を行うステップと、を含むことができる。【選択図】図５
2020533822.tif 000002
【特許請求の範囲】
【請求項１】
複数の参照サンプルラインを構成するステップと、
現在ブロックの画面内予測モードを復元するステップと、
前記複数の参照サンプルライン及び前記画面内予測モードに基づいて前記現在ブロックに対する画面内予測を行うステップと、
を含む画像復号化方法。
【請求項２】
前記複数の参照サンプルラインを構成するステップは、
所定の位置の参照サンプルに対しては可用性を判断せずにパディングを行う、
請求項１に記載の画像復号化方法。
【請求項３】
前記現在ブロックの横の長さがＷ、縦の長さがＨであるとき、前記所定の位置は、ｘ座標またはｙ座標がＷ＋Ｈ以上である、
請求項２に記載の画像復号化方法。
【請求項４】
前記パディングは、ｘ座標またはｙ座標がＷ＋Ｈ−１であって、前記所定の位置に隣接する参照サンプルを用いて行われる、
請求項３に記載の画像復号化方法。
【請求項５】
前記複数の参照サンプルラインを構成するステップは、
前記複数の参照サンプルラインのそれぞれにフィルタリングを行うステップを含む、
請求項１に記載の画像復号化方法。
【請求項６】
前記フィルタリングの適用有無及びフィルタの類型のうちの少なくとも一つは、前記現在ブロックの画面内予測モード、サイズ、形状、及び対象参照サンプルラインのうちの少なくとも一つに基づいて適応的に行われる、
請求項５に記載の画像復号化方法。
【請求項７】
前記複数の参照サンプルラインの数は、前記現在ブロックの画面内予測モードに基づいて適応的に決定される、
請求項１に記載の画像復号化方法。
【請求項８】
前記複数の参照サンプルラインの数は、前記現在ブロックの左側または上側境界が所定の画像領域の境界に該当するか否かに基づいて適応的に決定される、
請求項１に記載の画像復号化方法。
【請求項９】
前記現在ブロックの左側境界が前記所定の画像領域の境界である場合には、前記現在ブロックの左側に対しては単一の参照サンプルラインを用い、
前記現在ブロックの上側境界が前記所定の画像領域の境界である場合には、前記現在ブロックの上側に対しては単一の参照サンプルラインを用いる、
請求項８に記載の画像復号化方法。
【請求項１０】
前記所定の画像領域は、ピクチャ、タイル、スライス及び符号化ツリーブロック（ＣＴＢ）のうちの少なくとも一つである、
請求項９に記載の画像復号化方法。
【請求項１１】
現在ブロックの画面内予測モードを決定するステップと、
複数の参照サンプルラインを構成するステップと、
前記複数の参照サンプルライン及び前記画面内予測モードに基づいて前記現在ブロックに対する画面内予測を行うステップと、
を含む画像符号化方法。
【請求項１２】
前記複数の参照サンプルラインを構成するステップは、
所定の位置の参照サンプルに対しては可用性を判断せずにパディングを行う、
請求項１１に記載の画像符号化方法。
【請求項１３】
前記現在ブロックの横の長さがＷ、縦の長さがＨであるとき、
前記所定の位置は、ｘ座標またはｙ座標がＷ＋Ｈ以上である、
請求項１２に記載の画像符号化方法。
【請求項１４】
前記パディングは、ｘ座標またはｙ座標がＷ＋Ｈ−１であって、前記所定の位置に隣接する参照サンプルを用いて行われる、
請求項１３に記載の画像符号化方法。
【請求項１５】
前記複数の参照サンプルラインを構成するステップは、
前記複数の参照サンプルラインのそれぞれにフィルタリングを行うステップを含む、
請求項１１に記載の画像符号化方法。
【請求項１６】
前記フィルタリングの適用有無及びフィルタの類型のうちの少なくとも一つは、前記現在ブロックの画面内予測モード、サイズ、形状及び対象参照サンプルラインのうちの少なくとも一つに基づいて適応的に行われる、
請求項１５に記載の画像符号化方法。
【請求項１７】
前記複数の参照サンプルラインの数は、前記現在ブロックの画面内予測モードに基づいて適応的に決定される、
請求項１１に記載の画像符号化方法。
【請求項１８】
前記複数の参照サンプルラインの数は、前記現在ブロックの左側または上側境界が所定の画像領域の境界に該当するか否かに基づいて適応的に決定される、
請求項１１に記載の画像符号化方法。
【請求項１９】
前記現在ブロックの左側境界が前記所定の画像領域の境界である場合には、前記現在ブロックの左側に対しては単一の参照サンプルラインを用い、
前記現在ブロックの上側境界が前記所定の画像領域の境界である場合には、前記現在ブロックの上側に対しては単一の参照サンプルラインを用いる、
請求項１８に記載の画像符号化方法。
【請求項２０】
画像符号化方法によって生成されたビットストリームを保存したコンピュータ可読記録媒体であって、
前記画像符号化方法は、
現在ブロックの画面内予測モードを決定するステップと、
複数の参照サンプルラインを構成するステップと、
前記複数の参照サンプルライン及び前記画面内予測モードに基づいて前記現在ブロックに対する画面内予測を行うステップと、
を含む記録媒体。
【発明の詳細な説明】
【技術分野】
【０００１】
本発明は、画像符号化／復号化方法、装置、及びビットストリームを保存した記録媒体に関する。具体的には、本発明は、画面内予測を用いた画像符号化／復号化方法、装置、及び本発明の画像符号化方法又は装置によって生成されたビットストリームを保存した記録媒体に関する。
【背景技術】
【０００２】
最近、高解像度、高品質の画像、例えばＨＤ（Ｈｉｇｈ  Ｄｅｆｉｎｉｔｉｏｎ）画像及びＵＨＤ（Ｕｌｔｒａ  Ｈｉｇｈ  Ｄｅｆｉｎｉｔｉｏｎ）画像への需要が多様な応用分野で増加している。画像データが高解像度、高品質になるほど、従来の画像データに比べて相対的にデータ量が増加するので、従来の有線・無線ブロードバンド回線などの媒体を用いて画像データを伝送したり従来の記憶媒体を用いて保存したりする場合には、伝送費用と保存費用が増加することになる。このような画像データの高解像度、高品質化に伴って発生する問題を解決するためには、より高い解像度及び画質を有する画像に対する高効率画像符号化（ｅｎｃｏｄｉｎｇ）／復号化（ｄｅｃｏｄｉｎｇ）技術が求められる。
【０００３】
画像圧縮技術として、現在ピクチャの以前又は以後のピクチャから、現在ピクチャに含まれている画素値を予測する画面間（ｉｎｔｅｒ）予測技術、現在ピクチャ内の画素情報を用いて、現在ピクチャに含まれている画素値を予測する画面内（ｉｎｔｒａ）予測技術、残余信号のエネルギーを圧縮するための変換及び量子化技術、出現頻度の高い値に短い符号を割り当て、出現頻度の低い値に長い符号を割り当てるエントロピー符号化技術などの様々な技術が存在し、これらの画像圧縮技術を利用して画像データを効果的に圧縮して伝送又は保存することができる。
【発明の概要】
【発明が解決しようとする課題】
【０００４】
本発明は、圧縮効率が向上した画像符号化／復号化方法及び装置を提供することを目的とする。
【０００５】
また、本発明は、圧縮効率が向上した画面内予測を用いた画像符号化／復号化方法及び装置を提供することを目的とする。
【０００６】
また、本発明は、本発明の画像符号化／復号化方法または装置によって生成されたビットストリームを保存した記録媒体を提供することを目的とする。
【課題を解決するための手段】
【０００７】
本発明によれば、複数の参照サンプルラインを構成するステップと、現在ブロックの画面内予測モードを復元するステップと、前記複数の参照サンプルライン及び前記画面内予測モードに基づいて前記現在ブロックに対する画面内予測を行うステップとを含む、画像復号化方法が提供できる。
【０００８】
本発明による画像復号化方法において、前記複数の参照サンプルラインを構成するステップは、所定の位置の参照サンプルに対しては可用性を判断せずにパディングを行うことができる。
【０００９】
本発明による画像復号化方法において、前記現在ブロックの横の長さがＷ、縦の長さがＨであるとき、前記所定の位置は、ｘ座標またはｙ座標がＷ＋Ｈ以上であり得る。
【００１０】
本発明による画像復号化方法において、前記パディングは、ｘ座標またはｙ座標がＷ＋Ｈ−１であって、前記所定の位置に隣接する参照サンプルを用いて行われ得る。
【００１１】
本発明による画像復号化方法において、前記複数の参照サンプルラインを構成するステップは、前記複数の参照サンプルラインのそれぞれにフィルタリングを行うステップを含むことができる。
【００１２】
本発明による画像復号化方法において、前記フィルタリングの適用有無及びフィルタの類型のうちの少なくとも一つは、前記現在ブロックの画面内予測モード、サイズ、形状及び対象参照サンプルラインのうちの少なくとも一つに基づいて適応的に行われ得る。
【００１３】
本発明による画像復号化方法において、前記複数の参照サンプルラインの数は、前記現在ブロックの画面内予測モードに基づいて適応的に決定できる。
【００１４】
本発明による画像復号化方法において、前記複数の参照サンプルラインの数は、前記現在ブロックの左側または上側境界が所定の画像領域の境界に該当するか否かに基づいて適応的に決定できる。
【００１５】
本発明による画像復号化方法において、前記現在ブロックの左側境界が前記所定の画像領域の境界である場合には、前記現在ブロックの左側に対しては、単一の参照サンプルラインを用い、前記現在ブロックの上側境界が前記所定の画像領域の境界である場合には、前記現在ブロックの上側に対しては単一の参照サンプルラインを用いることができる。
【００１６】
本発明による画像復号化方法において、前記所定の画像領域は、ピクチャ、タイル、スライス及び符号化ツリーブロック（ＣＴＢ）のうちの少なくとも一つであり得る。
【００１７】
また、本発明によれば、現在ブロックの画面内予測モードを決定するステップと、複数の参照サンプルラインを構成するステップと、前記複数の参照サンプルライン及び前記画面内予測モードに基づいて前記現在ブロックに対する画面内予測を行うステップとを含む画像符号化方法が提供できる。
【００１８】
本発明による画像符号化方法において、前記複数の参照サンプルラインを構成するステップは、所定の位置の参照サンプルに対しては可用性を判断せずにパディングを行うことができる。
【００１９】
本発明による画像符号化方法において、前記現在ブロックの横の長さがＷ、縦の長さがＨであるとき、前記所定の位置は、ｘ座標またはｙ座標がＷ＋Ｈ以上であり得る。
【００２０】
本発明による画像符号化方法において、前記パディングは、ｘ座標またはｙ座標がＷ＋Ｈ−１であって、前記所定の位置に隣接する参照サンプルを用いて行われ得る。
【００２１】
本発明による画像符号化方法において、前記複数の参照サンプルラインを構成するステップは、前記複数の参照サンプルラインのそれぞれにフィルタリングを行うステップを含み得る。
【００２２】
本発明による画像符号化方法において、前記フィルタリングの適用有無及びフィルタの類型のうちの少なくとも一つは、前記現在ブロックの画面内予測モード、サイズ、形状及び対象参照サンプルラインのうちの少なくとも一つに基づいて適応的に行われ得る。
【００２３】
本発明による画像符号化方法において、前記複数の参照サンプルラインの数は、前記現在ブロックの画面内予測モードに基づいて適応的に決定できる。
【００２４】
本発明による画像符号化方法において、前記複数の参照サンプルラインの数は、前記現在ブロックの左側または上側境界が所定の画像領域の境界に該当するか否かに基づいて適応的に決定できる。
【００２５】
本発明による画像符号化方法において、前記現在ブロックの左側境界が前記所定の画像領域の境界である場合には、前記現在ブロックの左側に対しては単一の参照サンプルラインを用い、前記現在ブロックの上側境界が前記所定の画像領域の境界である場合には、前記現在ブロックの上側に対しては単一の参照サンプルラインを用いることができる。
【００２６】
また、本発明に係る記録媒体は、本発明による画像符号化方法によって生成されたビットストリームを保存することができる。
【発明の効果】
【００２７】
本発明によれば、圧縮効率が向上した画像符号化／復号化方法及び装置が提供できる。
【００２８】
また、本発明によれば、圧縮効率が向上した画面内予測を用いた画像符号化／復号化方法、装置が提供できる。
【００２９】
また、本発明によれば、本発明の画像符号化／復号化方法または装置によって生成されたビットストリームを保存した記録媒体が提供できる。
【図面の簡単な説明】
【００３０】
【図１】本発明が適用される符号化装置の一実施形態による構成を示すブロック図である。
【図２】本発明が適用される復号化装置の一実施形態による構成を示すブロック図である。
【図３】画像を符号化及び復号化するときの画像の分割構造を示す概略図である。
【図４】画面間予測過程の実施形態を説明するための図である。
【図５】本発明に係る画面内予測を説明するための図である。
【図６】輝度ブロックと色差ブロックの関係を説明するための例示図である。
【図７】複数の復元サンプルラインを説明するための図である。
【図８】利用可能なサンプルを用いて、利用不可能なサンプルを代替する過程を説明するための図である。
【図９】様々なフィルタ形状を示す図である。
【図１０】ブロックの形状による画面内予測を説明するための図である。
【図１１】２つの参照サンプルラインを用いる一実施形態を示す図である。
【図１２】輝度成分から色差成分を予測するときに用いられる線形モデルのパラメータを誘導するために用いられる現在ブロックの周辺サンプルを説明するための図である。
【図１３】色成分ブロックの再構成を説明するための例示図である。
【図１４】複数の上側及び／又は左側参照サンプルラインを用いて再構成を行う実施形態を説明するための図である。
【図１５】対応ブロックの画面内予測モードまたは符号化パラメータに応じて再構成に用いられる参照サンプルを説明するための例示図である。
【図１６】第２色成分予測対象ブロックが４ｘ４である場合、再構成された第１色成分対応ブロックを説明するための例示図である。
【図１７】第１色成分のサンプル及び第２色成分のサンプルを説明するための図である。
【発明を実施するための形態】
【００３１】
本発明は、様々な変更を加えることができ、様々な実施形態を有することができるので、特定の実施形態を図面に例示し、詳細な説明に詳細に説明する。ところが、これは、本発明を特定の実施形態について限定するものではなく、本発明の思想及び技術範囲に含まれるすべての変更、均等物ないし代替物を含むものと理解されるべきである。図面において類似する参照符号は、様々な側面にわたって同一又は類似の機能を指し示す。図面における要素の形状及び大きさなどは、より明確な説明のために誇張することがある。後述する例示的な実施形態についての詳細な説明は、特定の実施形態を例示として示す添付図面を参照する。これらの実施形態は、当業者が実施形態を実施し得る程度に十分に詳細に説明される。様々な実施形態は、互いに異なるが、相互に排他的である必要はないことが理解されるべきである。例えば、ここに記載されている特定の形状、構造及び特性は、一実施形態に関連して本発明の精神及び範囲を逸脱することなく、様々な実施形態に実現できる。また、それぞれの開示された実施形態内の個別構成要素の位置又は配置は、実施形態の精神及び範囲を逸脱することなく変更可能であることが理解されるべきである。したがって、後述する詳細な説明は、限定的な意味として取るものではなく、例示的な実施形態の範囲は、適切に説明されるならば、それらの請求項が主張するのと均等なすべての範囲及び添付の請求項によってのみ限定される。
【００３２】
本発明において、用語「第１」、「第２」などは多様な構成要素の説明に使用できるが、これらの構成要素は上記の用語によって限定されてはならない。これらの用語は、一つの構成要素を他の構成要素から区別する目的にのみ使われる。例えば、本発明の権利範囲を外れない限り、第１構成要素は第２構成要素と命名することができ、同様に、第２構成要素も第１構成要素と命名することができる。用語「及び／又は」は、複数の関連した記載項目の組み合わせ又は複数の関連した記載項目のいずれかを含む。
【００３３】
本発明のある構成要素が他の構成要素に「連結されて」いる或いは「接続されて」いるとした場合には、その他の構成要素に直接連結されている或いは接続されていることもあるが、それらの間に別の構成要素が介在することもあると理解されるべきである。これに対し、ある構成要素が他の構成要素に「直接連結されて」いる或いは「直接接続されて」いるとした場合には、それらの間に別の構成要素が介在しないと理解されるべきである。
【００３４】
本発明の実施形態に示される構成部は、互いに異なる特徴的な機能を示すために独立に図示されるもので、各構成部が分離されたハードウェア又は一つのソフトウェア構成単位からなることを意味しない。すなわち、各構成部は、説明の便宜上、それぞれの構成部に羅列して含むもので、各構成部のうちの少なくとも２つの構成部が合わせられて一つの構成部をなすか、或いは一つの各構成部が複数の構成部に分けられて機能を行うことができ、このような各構成部の統合された実施形態及び分離された実施形態も、本発明の本質から外れない限り、本発明の権利範囲に含まれる。
【００３５】
本発明で使用した用語は、単に特定の実施形態を説明するために使われたものであり、本発明を限定するものではない。単数の表現は、文脈上明白に異なる意味ではない限り、複数の表現を含む。本発明において、「含む」又は「有する」などの用語は、明細書上に記載された特徴、数字、ステップ、動作、構成要素、部品又はこれらの組み合わせが存在することを指定するものであり、一つ又はそれ以上の他の特徴、数字、ステップ、動作、構成要素、部品又はこれらの組み合わせの存在又は付加可能性を予め排除しないと理解されるべきである。つまり、本発明において、特定の構成を「含む」と記述する内容は、該当構成以外の構成を排除するものではなく、追加の構成が本発明の実施又は本発明の技術的思想の範囲に含まれ得ることを意味する。
【００３６】
本発明の一部の構成要素は、本発明において本質的な機能を行う不可欠の構成要素ではなく、単に性能を向上させるための選択的構成要素であり得る。本発明は、単に性能向上のために使用される構成要素を除く、本発明の本質の実現に必要不可欠な構成部のみを含んで実現でき、単に性能向上のために使用される選択的構成要素を除く必須構成要素のみを含む構造も本発明の権利範囲に含まれる。
【００３７】
以下、図面を参照して、本発明の実施形態について具体的に説明する。本明細書の実施形態を説明するにあたり、関連した公知の構成又は機能についての具体的な説明が本明細書の要旨を曖昧にするおそれがあると判断された場合、その詳細な説明は省略し、図面上の同一の構成要素については同一の参照符号を使用し、同一の構成要素についての重複説明は省略する。
【００３８】
以下において、画像は、動画像（ｖｉｄｅｏ）を構成する１つのピクチャ（ｐｉｃｔｕｒｅ）を意味することもあり、動画像自体を意味することもある。例えば、「画像の符号化及び／又は復号化」は、「動画像の符号化及び／又は復号化」を意味することもあり、「動画像を構成する画像のうちのいずれかの画像の符号化及び／又は復号化」を意味することもある。
【００３９】
以下において、用語「動画像」及び「ビデオ」は、同じ意味で使用されることもあり、入れ替わって使用されることもある。
【００４０】
以下において、対象画像は、符号化の対象である符号化対象画像、及び／又は復号化の対象である復号化対象画像であり得る。また、対象画像は、符号化装置に入力された入力画像であってもよく、復号化装置に入力された入力画像であってもよい。ここで、対象画像は、現在の画像と同じ意味を持つことができる。
【００４１】
以下において、用語「画像」、「ピクチャ」、「フレーム（ｆｒａｍｅ）」及び「スクリーン（ｓｃｒｅｅｎ）」は、同じ意味で使用されることもあり、入れ替わって使用されることもある。
【００４２】
以下において、対象ブロックは、符号化の対象である符号化対象ブロック、及び／又は復号化の対象である復号化対象ブロックであり得る。また、対象ブロックは、現在符号化及び／又は復号化の対象である現在ブロックであってもよい。例えば、用語「対象ブロック」及び「現在ブロック」は、同じ意味で使用されることもあり、入れ替わって使用されることもある。
【００４３】
以下において、用語「ブロック」及び「ユニット」は、同じ意味で使用されることもあり、入れ替わって使用されることもある。又は、「ブロック」は特定のユニットを示すことができる。
【００４４】
以下において、用語「領域（ｒｅｇｉｏｎ）」及び「セグメント（ｓｅｇｍｅｎｔ）」は、入れ替わって使用されることもある。
【００４５】
以下において、特定の信号は、特定のブロックを示す信号であり得る。例えば、原（ｏｒｉｇｉｎａｌ）信号は、対象ブロックを示す信号であり得る。予測（ｐｒｅｄｉｃｔｉｏｎ）信号は、予測ブロックを示す信号であり得る。残余（ｒｅｓｉｄｕａｌ）信号は、残余ブロック（ｒｅｓｉｄｕａｌ  ｂｌｏｃｋ）を示す信号であり得る。
【００４６】
実施形態において、特定の情報、データ、フラグ（ｆｌａｇ）、インデックス（ｉｎｄｅｘ）及び要素（ｅｌｅｍｅｎｔ）、属性（ａｔｔｒｉｂｕｔｅ）などのそれぞれは、値を持つことができる。情報、データ、フラグ、インデックス及び要素、属性などの値「０」は、論理偽（ｌｏｇｉｃａｌ  ｆａｌｓｅ）又は第１の予め定義された（ｐｒｅｄｅｆｉｎｅｄ）値を示すことができる。いわば、値「０」、偽、論理偽及び第１の予め定義された値は、入れ替わって使用されることもある。情報、データ、フラグ、インデックス及び要素、属性などの値「１」は、論理真（ｌｏｇｉｃａｌ  ｔｒｕｅ）又は第２の予め定義された値を示すことができる。いわば、値「１」、真、論理真及び第２の予め定義された値は、入れ替わって使用されることもある。
【００４７】
行、列、又はインデックス（ｉｎｄｅｘ）を示すためにｉ又はｊなどの変数が使用されるとき、ｉの値は０以上の整数であってもよく、１以上の整数であってもよい。いわば、実施形態において、行、列、及びインデックスは０からカウントされることもあり、１からカウントされることもある。
【００４８】
用語説明
符号化器（Ｅｎｃｏｄｅｒ）：符号化（Ｅｎｃｏｄｉｎｇ）を行う装置を意味する。すなわち、符号化装置を意味することができる。
【００４９】
復号化器（Ｄｅｃｏｄｅｒ）：復号化（Ｄｅｃｏｄｎｇ）を行う装置を意味する。すなわち、復号化装置を意味することができる。
【００５０】
ブロック（Ｂｌｏｃｋ）：サンプル（Ｓａｍｐｌｅ）のＭ×Ｎ配列である。ここで、ＭとＮは正の整数値を意味することができ、ブロックは一般に２次元形状のサンプル配列を意味することができる。ブロックはユニットを意味することができる。現在ブロックは、符号化時に符号化の対象となる符号化対象ブロック、復号化時に復号化の対象となる復号化対象ブロックを意味することができる。また、現在ブロックは符号化ブロック、予測ブロック、残予ブロック及び変換ブロックのうちの少なくとも一つであり得る。
【００５１】
サンプル（Ｓａｍｐｌｅ）：ブロックを構成する基本単位である。ビット深度（ｂｉｔ  ｄｅｐｔｈ、Ｂｄ）に応じて０から２Ｂｄ−１までの値で表現できる。本発明において、サンプルは画素又はピクセルと同じ意味で使用できる。すなわち、サンプル、画素、ピクセルは互いに同じ意味を持つことができる。
【００５２】
ユニット（Ｕｎｉｔ）：画像符号化及び復号化の単位を意味することができる。画像の符号化及び復号化において、ユニットは、一つの画像を分割した領域であり得る。また、ユニットは、一つの画像を細分化されたユニットに分割して符号化或いは復号化するとき、その分割された単位を意味することができる。すなわち、一つの画像は複数のユニットに分割できる。画像の符号化及び復号化において、ユニット別に、予め定義された処理が行われ得る。一つのユニットは、ユニットに比べてより小さい大きさを持つサブユニットにさらに分割できる。機能に応じて、ユニットは、ブロック（Ｂｌｏｃｋ）、マクロブロック（Ｍａｃｒｏｂｌｏｃｋ）、符号化ツリーユニット（Ｃｏｄｉｎｇ  Ｔｒｅｅ  Ｕｎｉｔ）、符号化ツリーブロック（Ｃｏｄｉｎｇ  Ｔｒｅｅ  Ｂｌｏｃｋ）、符号化ユニット（Ｃｏｄｉｎｇ  Ｕｎｉｔ）、符号化ブロック（Ｃｏｄｉｎｇ  Ｂｌｏｃｋ）、予測ユニット（Ｐｒｅｄｉｃｔｉｏｎ  Ｕｎｉｔ）、予測ブロック（Ｐｒｅｄｉｃｔｉｏｎ  Ｂｌｏｃｋ）、残予ユニット（Ｒｅｓｉｄｕａｌ  Ｕｎｉｔ）、残予ブロック（Ｒｅｓｉｄｕａｌ  Ｂｌｏｃｋ）、変換ユニット（Ｔｒａｎｓｆｏｒｍ  Ｕｎｉｔ）、変換ブロック（Ｔｒａｎｓｆｏｒｍ  Ｂｌｏｃｋ）などを意味することができる。また、ユニットは、ブロックと区分して指し示すために、輝度（Ｌｕｍａ）成分ブロック、それに対応する色差（Ｃｈｒｏｍａ）成分ブロック、及び各ブロックに対する構文要素を含むことを意味することができる。ユニットは、様々なサイズと形状を持つことができ、特に、ユニットの形状は、正方形だけでなく、長方形、台形、三角形、五角形など、２次元的に表現できる幾何学的図形を含むことができる。また、ユニット情報は、符号化ユニット、予測ユニット、残予ユニット、変換ユニットなどを指し示すユニットのタイプ、ユニットの大きさ、ユニットの深さ、ユニットの符号化及び復号化順序などのうちの少なくとも一つを含むことができる。
【００５３】
符号化ツリーユニット（Ｃｏｄｉｎｇ  Ｔｒｅｅ  Ｕｎｉｔ）：一つの輝度成分（Ｙ）符号化ツリーブロックに関連した２つの色差成分（Ｃｂ，Ｃｒ）符号化ツリーブロックから構成される。また、前記ブロックと各ブロックに対する構文要素を含むことを意味することもできる。各符号化ツリーユニットは、符号化ユニット、予測ユニット、変換ユニットなどのサブユニットを構成するために、四分木（ｑｕａｄ  ｔｒｅｅ）、二分木（ｂｉｎａｒｙ  ｔｒｅｅ）、三分木（ｔｅｒｎａｒｙ  ｔｒｅｅ）などの一つ以上の分割方式を用いて分割できる。入力画像の分割の如く画像の復号化／符号化過程で処理単位となるサンプルブロックを指し示すための用語として使用できる。ここで、四分木は、４分割ツリー（ｑｕａｒｔｅｒｎａｒｙ  ｔｒｅｅ）を意味することができる。
【００５４】
符号化ブロックのサイズが所定の範囲内に属する場合には、 四分木にのみ分割が可能である。ここで、所定の範囲は、四分木にのみ分割が可能な符号化ブロックの最大サイズ及び最小サイズのうちの少なくとも一つで定義できる。四分木状の分割が許可される符号化ブロックの最大／最小サイズを示す情報は、ビットストリームを介してシグナリングでき、当該情報は、シーケンス、ピクチャパラメータ、またはスライス（セグメント）のうちの少なくとも一つの単位でシグナリングできる。または、符号化ブロックの最大／最小サイズは、符号化器／復号化器で予め設定された固定サイズであってもよい。例えば、符号化ブロックのサイズが２５６ｘ２５６乃至６４ｘ６４に該当する場合には、四分木にのみ分割が可能である。または、符号化ブロックのサイズが最大変換ブロックのサイズよりも大きい場合には、四分木にのみ分割が可能である。このとき、前記分割されるブロックは、符号化ブロックまたは変換ブロックのうちの少なくとも一つであり得る。このような場合に符号化ブロックの分割を示す情報（例えば、ｓｐｌｉｔ＿ｆｌａｇ）は、四分木分割か否かを示すフラグであり得る。符号化ブロックのサイズが所定の範囲内に属する場合には、二分木または三分木にのみ分割が可能である。この場合には、四分木についての前記説明は、二分木または三分木に対しても同様に適用できる。
【００５５】
符号化ツリーブロック（Ｃｏｄｉｎｇ  Ｔｒｅｅ  Ｂｌｏｃｋ）：Ｙ符号化ツリーブロック、Ｃｂ符号化ツリーブロック及びＣｒ符号化ツリーブロックのうちのいずれかを示すための用語として使用できる。
【００５６】
周辺ブロック（Ｎｅｉｇｈｂｏｒ  ｂｌｏｃｋ）：現在ブロックに隣接するブロックを意味することができる。現在ブロックに隣接するブロックは、現在ブロックと境界が接しているブロック、又は現在ブロックから所定の距離内に位置するブロックを意味することができる。周辺ブロックは、現在ブロックの頂点に隣接するブロックを意味することができる。ここで、現在ブロックの頂点に隣接するブロックとは、現在ブロックの横に隣接する隣接ブロックと縦に隣接するブロック、又は現在ブロックの縦に隣接する隣接ブロックと横に隣接するブロックであり得る。周辺ブロックは、復元された周辺ブロックを意味することもある。
【００５７】
復元された周辺ブロック（Ｒｅｃｏｎｓｔｒｕｃｔｅｄ  Ｎｅｉｇｈｂｏｒ  Ｂｌｏｃｋ）：現在ブロックの周辺に空間的（Ｓｐａｔｉａｌ）／時間的（Ｔｅｍｐｏｒａｌ）に既に符号化或いは復号化された周辺ブロックを意味することができる。このとき、復元された周辺ブロックは、復元された周辺ユニットを意味することができる。復元された空間的周辺ブロックは、現在ピクチャ内のブロックでありながら符号化及び／又は復号化を介して既に復元されたブロックであり得る。復元された時間的周辺ブロックは、参照画像内で現在ピクチャの現在ブロックと対応する位置の復元されたブロック又はその周辺ブロックであり得る。
【００５８】
ユニット深さ（Ｄｅｐｔｈ）：ユニットが分割された程度を意味することができる。ツリー構造（Ｔｒｅｅ  Ｓｔｒｕｃｔｕｒｅ）における最上位ノード（Ｒｏｏｔ  Ｎｏｄｅ）は、分割されていない最初のユニットに対応することができる。最上位ノードは、ルートノードと呼ばれることもある。また、最上位ノードは、最小の深さ値を持つことができる。このとき、最上位ノードは、レベル（Ｌｅｖｅｌ）０の深さを持つことができる。レベル１の深さを持つノードは、最初のユニットが一度分割されることにより生成されたユニットを示すことができる。レベル２の深さを持つノードは、最初のユニットが二回分割されることにより生成されたユニットを示すことができる。レベルｎの深さを持つノードは、最初のユニットがｎ回分割されることにより生成されたユニットを示すことができる。リーフノード（Ｌｅａｆ  Ｎｏｄｅ）は、最下位ノードであり、それ以上分割できないノードであり得る。リーフノードの深さは最大レベルであり得る。例えば、最大レベルの予め定義された値は３であり得る。ルートノードは深さが最も浅く、リーフノードは深さが最も深いといえる。また、ユニットをツリー構造で表現したとき、ユニットが存在するレベルがユニット深さを意味することができる。
【００５９】
ビットストリーム（Ｂｉｔｓｔｒｅａｍ）：符号化された画像情報を含むビットの列を意味することができる。
【００６０】
パラメータセット（Ｐａｒａｍｅｔｅｒ  Ｓｅｔ）：ビットストリーム内の構造のうちのヘッダー（ｈｅａｄｅｒ）情報に該当する。ビデオパラメータセット（ｖｉｄｅｏ  ｐａｒａｍｅｔｅｒ  ｓｅｔ）、シーケンスパラメータセット（ｓｅｑｕｅｎｃｅ  ｐａｒａｍｅｔｅｒ  ｓｅｔ）、ピクチャパラメータセット（ｐｉｃｔｕｒｅ  ｐａｒａｍｅｔｅｒ  ｓｅｔ）及び適応パラメータセット（ａｄａｐｔａｔｉｏｎ  ｐａｒａｍｅｔｅｒ  ｓｅｔ）のうちの少なくとも一つがパラメータセットに含まれ得る。また、パラメータセットはスライス（ｓｌｉｃｅ）ヘッダー及びタイル（ｔｉｌｅ）ヘッダー情報を含むこともできる。
【００６１】
パーシング（Ｐａｒｓｉｎｇ）：ビットストリームをエントロピー復号化して構文要素（Ｓｙｎｔａｘ  Ｅｌｅｍｅｎｔ）の値を決定することを意味するか、或いはエントロピー復号化自体を意味することができる。
【００６２】
シンボル（Ｓｙｍｂｏｌ）：符号化／復号化対象ユニットの構文要素、符号化パラメータ（ｃｏｄｉｎｇ  ｐａｒａｍｅｔｅｒ）、変換係数（Ｔｒａｎｓｆｏｒｍ  Ｃｏｅｆｆｉｃｉｅｎｔ）の値などのうちの少なくとも一つを意味することができる。また、シンボルは、エントロピー符号化の対象或いはエントロピー復号化の結果を意味することができる。
【００６３】
予測モード（Ｐｒｅｄｉｃｔｉｏｎ  Ｍｏｄｅ）：画面内予測で符号化／復号化されるモード、又は画面間予測で符号化／復号化されるモードを指し示す情報であり得る。
【００６４】
予測ユニット（Ｐｒｅｄｉｃｔｉｏｎ  Ｕｎｉｔ）：画面間予測、画面内予測、画面間補償、画面内補償、動き補償など、予測を行うときの基本単位を意味することができる。一つの予測ユニットは、より小さいサイズを有する複数のパーティション（Ｐａｒｔｉｔｉｏｎ）又は複数のサブ予測ユニットに分割されてもよい。複数のパーティションも予測又は補償の実行における基本単位であり得る。予測ユニットの分割によって生成されたパーティションも予測ユニットであり得る。
【００６５】
予測ユニットパーティション（Ｐｒｅｄｉｃｔｉｏｎ  Ｕｎｉｔ  Ｐａｒｔｉｔｉｏｎ）：予測ユニットが分割された形態を意味することができる。
【００６６】
変換ユニット（Ｔｒａｎｓｆｏｒｍ  Ｕｎｉｔ）：変換、逆変換、量子化、逆量子化、変換係数符号化／復号化のように残余信号（ｒｅｓｉｄｕａｌ  ｓｉｇｎａｌ）符号化／復号化を行うときの基本単位を意味することができる。一つの変換ユニットは、分割されてサイズがさらに小さい複数のサブ変換ユニットに分割できる。ここで、変換／逆変換は、１次変換／逆変換及び２次変換／逆変換のうちの少なくとも一つを含むことができる。
【００６７】
スケーリング（Ｓｃａｌｉｎｇ）：量子化されたレベルに因数を掛ける過程を意味することができる。量子化されたレベルに対するスケーリングの結果として変換係数を生成することができる。スケーリングを逆量子化（ｄｅｑｕａｎｔｉｚａｔｉｏｎ）とも呼ぶことができる。
【００６８】
量子化パラメータ（Ｑｕａｎｔｉｚａｔｉｏｎ  Ｐａｒａｍｅｔｅｒ）：量子化において変換係数を用いて量子化されたレベル（ｑｕａｎｔｉｚｅｄ  ｌｅｖｅｌ）を生成するときに使用する値を意味することができる。又は、逆量子化において量子化されたレベルをスケーリング（ｓｃａｌｉｎｇ）して変換係数を生成するときに使用する値を意味することもできる。量子化パラメータは、量子化ステップサイズ（ｓｔｅｐ  ｓｉｚｅ）にマッピングされた値であり得る。
【００６９】
デルタ量子化パラメータ（Ｄｅｌｔａ  Ｑｕａｎｔｉｚａｔｉｏｎ  Ｐａｒａｍｅｔｅｒ）：予測された量子化パラメータと符号化／復号化対象ユニットの量子化パラメータとの差分（ｄｉｆｆｅｒｅｎｃｅ）値を意味することができる。
【００７０】
スキャン（Ｓｃａｎ）：ユニット、ブロック或いは行列内係数の順序をソートする方法を意味することができる。例えば、２次元配列を１次元配列にソートすることをスキャンという。又は、１次元配列を２次元配列にソートすることもスキャン或いは逆スキャン（Ｉｎｖｅｒｓｅ  Ｓｃａｎ）と呼ぶことができる。
【００７１】
変換係数（Ｔｒａｎｓｆｏｒｍ  Ｃｏｅｆｆｉｃｉｅｎｔ）：符号化器で変換を行ってから生成された係数値を意味することができる。復号化器でエントロピー復号化及び逆量子化のうちの少なくとも一つを行ってから生成された係数値を意味することもできる。変換係数又は残予信号に量子化を適用した量子化レベル又は量子化変換係数レベルも変換係数の意味に含まれ得る。
【００７２】
量子化レベル（Ｑｕａｎｔｉｚｅｄ  Ｌｅｖｅｌ）：符号化器で変換係数又は残余信号に量子化を行って生成された値を意味することができる。又は、復号化器で逆量子化を行う前に逆量子化の対象となる値を意味することもできる。同様に、変換及び量子化の結果である量子化変換係数レベルも量子化レベルの意味に含まれ得る。
【００７３】
ノンゼロ変換係数（Ｎｏｎ−ｚｅｒｏ  Ｔｒａｎｓｆｏｒｍ  Ｃｏｅｆｆｉｃｉｅｎｔ）：値の大きさが０ではない変換係数、或いは値の大きさが０ではない変換係数レベル、或いは量子化されたレベルを意味することができる。
【００７４】
量子化行列（Ｑｕａｎｔｉｚａｔｉｏｎ  Ｍａｔｒｉｘ）：画像の主観的画質或いは客観的画質を向上させるために量子化或いは逆量子化過程で用いる行列を意味することができる。量子化行列をスケーリングリスト（ｓｃａｌｉｎｇ  ｌｉｓｔ）とも呼ぶことができる。
【００７５】
量子化行列係数（Ｑｕａｎｔｉｚａｔｉｏｎ  Ｍａｔｒｉｘ  Ｃｏｅｆｆｉｃｉｅｎｔ）：量子化行列内の各元素（ｅｌｅｍｅｎｔ）を意味することができる。量子化行列係数を行列係数（ｍａｔｒｉｘ  ｃｏｅｆｆｉｃｉｅｎｔ）とも呼ぶことができる。
【００７６】
基本行列（Ｄｅｆａｕｌｔ  Ｍａｔｒｉｘ）：符号化器と復号化器で予め定義されている所定の量子化行列を意味することができる。
【００７７】
非基本行列（Ｎｏｎ−ｄｅｆａｕｌｔ  Ｍａｔｒｉｘ）：符号化器と復号化器で予め定義されず、ユーザによってシグナリングされる量子化行列を意味することができる。
【００７８】
統計値（ｓｔａｔｉｓｔｉｃ  ｖａｌｕｅ）：演算可能な特定の値を有する変数、符号化パラメータ、定数などの少なくとも一つに対する統計値は、当該特定値の平均値、重み付け平均値、重み付け和値、最小値、最大値、最頻値、中央値及び補間値のうちの少なくとも一つであり得る。
【００７９】
図１は本発明が適用される符号化装置の一実施形態による構成を示すブロック図である。
【００８０】
符号化装置１００は、エンコーダ、ビデオ符号化装置又は画像符号化装置であり得る。ビデオは、一つ以上の画像を含むことができる。符号化装置１００は、一つ以上の画像を順次符号化することができる。
【００８１】
図１を参照すると、符号化装置１００は、動き予測部１１１、動き補償部１１２、イントラ予測部１２０、スイッチ１１５、減算器１２５、変換部１３０、量子化部１４０、エントロピー符号化部１５０、逆量子化部１６０、逆変換部１７０、加算器１７５、フィルタ部１８０、及び参照ピクチャバッファ１９０を含むことができる。
【００８２】
符号化装置１００は、入力画像に対してイントラモード及び／又はインターモードで符号化を行うことができる。また、符号化装置１００は、入力画像に対する符号化を介して符号化された情報を含むビットストリームを生成することができ、生成されたビットストリームを出力することができる。生成されたビットストリームは、コンピュータ可読記録媒体に保存できるか、或いは有線／無線伝送媒体を介してストリミングできる。予測モードとしてイントラモードが使用される場合、スイッチ１１５はイントラに転換でき、予測モードとしてインターモードが使用される場合、スイッチ１１５はインターに転換できる。ここで、イントラモードは画面内予測モードを意味することができ、インターモードは画面間予測モードを意味することができる。符号化装置１００は、入力画像の入力ブロックに対する予測ブロックを生成することができる。また、符号化装置１００は、予測ブロックが生成された後、入力ブロック及び予測ブロックの差分（ｒｅｓｉｄｕａｌ）を用いて残余ブロックを符号化することができる。入力画像は、現在符号化の対象である現在画像と称されることもある。入力ブロックは、現在符号化の対象である現在ブロック或いは符号化対象ブロックと称されることもある。
【００８３】
予測モードがイントラモードである場合、イントラ予測部１２０は、現在ブロックの周辺に既に符号化／復号化されたブロックのサンプルを参照サンプルとしても用いることができる。イントラ予測部１２０は、参照サンプルを用いて現在ブロックに対する空間的予測を行うことができ、空間的予測を介して入力ブロックに対する予測サンプルを生成することができる。ここで、イントラ予測は画面内予測を意味することができる。
【００８４】
予測モードがインターモードである場合には、動き予測部１１１は、動き予測過程で参照画像から入力ブロックと最もよくマッチする領域を検索することができ、検索された領域を用いて動きベクトルを導出することができる。この際、前記領域として探索領域を使用することができる。参照画像は、参照ピクチャバッファ１９０に保存できる。ここで、参照画像に対する符号化／復号化が処理されたとき、参照ピクチャバッファ１９０に保存できる。
【００８５】
動き補償部１１２は、動きベクトルを用いる動き補償を行うことにより、現在ブロックに対する予測ブロックを生成することができる。ここで、インター予測は画面間予測或いは動き補償を意味することができる。
【００８６】
前記動き予測部１１１と動き補償部１１２は、動きベクトルの値が整数値を持たない場合に参照画像内の一部の領域に対して補間フィルタ（Ｉｎｔｅｒｐｏｌａｔｉｏｎ  Ｆｉｌｔｅｒ）を適用して予測ブロックを生成することができる。画面間予測或いは動き補償を行うために、符号化ユニットを基準に、該当符号化ユニットに含まれている予測ユニットの動き予測及び動き補償方法がスキップモード（Ｓｋｉｐ  Ｍｏｄｅ）、マージモード（Ｍｅｒｇｅ  ｍｏｄｅ）、向上した動きベクトル予測（Ａｄｖａｎｃｅｄ  Ｍｏｔｉｏｎ  Ｖｅｃｔｏｒ  Ｐｒｅｄｉｃｔｉｏｎ、ＡＭＶＰ）モード、及び現在ピクチャ参照モードのうちのいずれの方法であるかを判断することができ、各モードに応じて、画面間予測或いは動き補償を行うことができる。
【００８７】
減算器１２５は、入力ブロック及び予測ブロックの差分を用いて残余ブロックを生成することができる。残余ブロックは残余信号とも称される。残余信号は、原信号と予測信号との差（ｄｉｆｆｅｒｅｎｃｅ）を意味することができる。又は、残余信号は、原信号と予測信号との差を変換（ｔｒａｎｓｆｏｒｍ）するか、量子化するか、又は変換及び量子化することにより生成された信号であり得る。残余ブロックはブロック単位の残余信号であり得る。
【００８８】
変換部１３０は、残余ブロックに対して変換（ｔｒａｎｓｆｏｒｍ）を行って変換係数（ｔｒａｎｓｆｏｒｍ  ｃｏｅｆｆｉｃｉｅｎｔ）を生成することができ、生成された変換係数を出力することができる。ここで、変換係数は、残余ブロックに対する変換を行うことにより生成された係数値であり得る。変換省略（ｔｒａｎｓｆｏｒｍ  ｓｋｉｐ）モードが適用される場合、変換部１３０は残余ブロックに対する変換を省略することもできる。
【００８９】
変換係数又は残余信号に量子化を適用することにより、量子化レベル（ｑｕａｎｔｉｚｅｄ  ｌｅｖｅｌ）が生成できる。以下、実施形態では、量子化レベルも変換係数と称されることがある。
【００９０】
量子化部１４０は、変換係数又は残余信号を量子化パラメータに基づいて量子化することにより量子化レベルを生成することができ、生成された量子化レベルを出力することができる。このとき、量子化部１４０では、量子化行列を用いて変換係数を量子化することができる。
【００９１】
エントロピー符号化部１５０は、量子化部１４０で算出された値、又は符号化過程で算出された符号化パラメータ（Ｃｏｄｉｎｇ  Ｐａｒａｍｅｔｅｒ）値などに対して確率分布によるエントロピー符号化を行うことにより、ビットストリーム（ｂｉｔｓｔｒｅａｍ）を生成することができ、ビットストリームを出力することができる。エントロピー符号化部１５０は、画像のサンプルに関する情報及び画像の復号化のための情報に対するエントロピー符号化を行うことができる。例えば、画像の復号化のための情報は構文要素（ｓｙｎｔａｘ  ｅｌｅｍｅｎｔ）などを含むことができる。
【００９２】
エントロピー符号化が適用される場合、高い発生確率を有するシンボル（ｓｙｍｂｏｌ）に少ない数のビットが割り当てられ、低い発生確率を有するシンボルに多い数のビットが割り当てられてシンボルが表現されることにより、符号化対象シンボルに対するビット列のサイズが減少できる。エントロピー符号化部１５０は、エントロピー符号化のために指数ゴロム（ｅｘｐｏｎｅｎｔｉａｌ  Ｇｏｌｏｍｂ）、ＣＡＶＬＣ（Ｃｏｎｔｅｘｔ−Ａｄａｐｔｉｖｅ  Ｖａｒｉａｂｌｅ  Ｌｅｎｇｔｈ  Ｃｏｄｉｎｇ）、ＣＡＢＡＣ（Ｃｏｎｔｅｘｔ−Ａｄａｐｔｉｖｅ  Ｂｉｎａｒｙ  Ａｒｉｔｈｍｅｔｉｃ  Ｃｏｄｉｎｇ）などの符号化方法を使用することができる。例えば、エントロピー符号化部１５０は、可変長符号化（Ｖａｒｉａｂｌｅ  Ｌｅｎｇｔｈ  Ｃｏｄｉｎｇ／Ｃｏｄｅ；ＶＬＣ）テーブルを用いてエントロピー符号化を行うことができる。また、エントロピー符号化部１５０は、対象シンボルの２値化（ｂｉｎａｒｉｚａｔｉｏｎ）方法及び対象シンボル／ビン（ｂｉｎ）の確率モデル（ｐｒｏｂａｂｉｌｉｔｙ  ｍｏｄｅｌ）を導出した後、導出された２値化方法、確率モデル、コンテキストモデル（Ｃｏｎｔｅｘｔ  Ｍｏｄｅｌ）を用いて算術符号化を行うこともできる。
【００９３】
エントロピー符号化部１５０は、変換係数レベル（量子化レベル）を符号化するために、変換係数スキャニング（Ｔｒａｎｓｆｏｒｍ  Ｃｏｅｆｆｉｃｉｅｎｔ  Ｓｃａｎｎｉｎｇ）方法を介して２次元のブロック形状（ｆｏｒｍ）係数を１次元のベクトルに変更することができる。
【００９４】
符号化パラメータ（Ｃｏｄｉｎｇ  Ｐａｒａｍｅｔｅｒ）は、構文要素のように符号化器で符号化されて復号化器へシグナリングされる情報（フラグ、インデックスなど）だけでなく、符号化過程或いは復号化過程で誘導される情報を含むことができ、画像を符号化又は復号化するときに必要な情報を意味することができる。例えば、ユニット／ブロックサイズ、ユニット／ブロック深さ、ユニット／ブロック分割情報、ユニット／ブロック形態、ユニット／ブロック分割構造、四分木分割か否か、二分木分割か否か、二分木分割の方向（横方向或いは縦方向）、二分木分割の形態（対称分割或いは非対称分割）、三分木分割か否か、三分木分割の方向（横方向或いは縦方向）、三分木分割の形態（対称分割或いは非対称分割）、複合型ツリー分割か否か、複合型ツリー分割の方向（横方向或いは縦方向）、複合型ツリー分割の形態（対称分割或いは非対称分割）、複合型ツリーの分割ツリー（二分木或いは三分木）、予測モード（画面内予測又は画面間予測）、画面内輝度予測モード／方向、画面内色差予測モード／方向、画面内分割情報、画面間分割情報、符号化ブロック分割フラグ、予測ブロック分割フラグ、変換ブロック分割フラグ、参照サンプルフィルタリング方法、参照サンプルフィルタタップ、参照サンプルフィルタ係数、予測ブロックフィルタリング方法、予測ブロックフィルタタップ、予測ブロックフィルタ係数、予測ブロック境界フィルタリング方法、予測ブロック境界フィルタタップ、予測ブロック境界フィルタ係数、画面内予測モード、画面間予測モード、動き情報、動きベクトル、動きベクトル差分、参照画像インデックス、画面間予測方向、画面間予測インジケータ、予測リスト活用フラグ、参照画像リスト、参照画像、動きベクトル予測インデックス、動きベクトル予測候補、動きベクトル候補リスト、マージモードの使用有無、マージインデックス、マージ候補、マージ候補リスト、スキップ（ｓｋｉｐ）モードの使用有無、補間フィルタの類型、補間フィルタタップ、補間フィルタ係数、動きベクトルのサイズ、動きベクトルの表現精度、変換種類、変換サイズ、１次変換の使用有無情報、２次変換の使用有無情報、１次変換インデックス、２次変換インデックス、残予信号有無情報、符号化ブロックパターン（Ｃｏｄｅｄ  Ｂｌｏｃｋ  Ｐａｔｔｅｒｎ）、符号化ブロックフラグ（Ｃｏｄｅｄ  Ｂｌｏｃｋ  Ｆｌａｇ）、量子化パラメータ、残余量子化パラメータ、量子化行列、画面内ループフィルタの適用か否か、画面内ループフィルタ係数、画面内ループフィルタタップ、画面内ループフィルタの形状／形態、デブロッキングフィルタの適用か否か、デブロッキングフィルタ係数、デブロッキングフィルタタップ、デブロッキングフィルタの強度、デブロッキングフィルタの形状／形態、適応的サンプルオフセットの適用か否か、適応的サンプルオフセット値、適応的サンプルオフセットのカテゴリー、適応的サンプルオフセットの種類、適応的ループフィルタの適用か否か、適応的ループフィルタ係数、適応的ループフィルタタップ、適応的ループフィルタの形状／形態、二値化／逆二値化方法、コンテキストモデル決定方法、コンテキストモデルアップデート方法、レギュラーモードの実��有無、バイパスモードの実行有無、コンテキストビン、バイパスビン、重要係数、フラグ、最後の重要係数フラグ、係数グループ単位符号化フラグ、最後の重要係数位置、係数値が１よりも大きいかに対するフラグ、係数値が２よりも大きいかに対するフラグ、係数値が３よりも大きいかに対するフラグ、残りの係数値情報、符号（ｓｉｇｎ）情報、復元された輝度サンプル、復元された色差サンプル、残余輝度サンプル、残余色差サンプル、輝度変換係数、色差変換係数、輝度量子化レベル、色差量子化レベル、変換係数レベルスキャニング方法、復号化器側面動きベクトル探索領域の大きさ、復号化器側面動きベクトル探索領域の形態、復号化器側面動きベクトル探索回数、ＣＴＵのサイズ情報、最小ブロックのサイズ情報、最大ブロックのサイズ情報、最大ブロックの深さ情報、最小ブロックの深さ情報、画像ディスプレイ／出力順序、スライス識別情報、スライスタイプ、スライス分割情報、タイル識別情報、タイルタイプ、タイル分割情報、ピクチャタイプ、入力サンプルビット深度、復元サンプルビット深度、残余サンプルビット深度、変換係数ビット深度、量子化レベルビット深度、輝度信号に対する情報、色差信号に対する情報のうちの少なくとも一つの値又は組み合わせ形態が符号化パラメータに含まれ得る。
【００９５】
ここで、フラグ或いはインデックスをシグナリング（ｓｉｇｎａｌｉｎｇ）するというのは、エンコーダでは該当フラグ或いはインデックスをエントロピー符号化（Ｅｎｔｒｏｐｙ  Ｅｎｃｏｄｉｎｇ）してビットストリーム（Ｂｉｔｓｔｒｅａｍ）に含むことを意味することができ、デコーダではビットストリームから当該フラグ或いはインデックスをエントロピー復号化（Ｅｎｔｒｏｐｙ  Ｄｅｃｏｄｉｎｇ）することを意味することができる。
【００９６】
符号化装置１００がインター予測を用いた符号化を行う場合、符号化された現在画像は、後で処理される他の画像に対する参照画像として使用できる。よって、符号化装置１００は、符号化された現在画像をさらに復元又は復号化することができ、復元又は復号化された画像を参照画像として参照ピクチャバッファ１９０に保存することができる。
【００９７】
量子化レベルは、逆量子化部１６０で逆量子化（ｄｅｑｕａｎｔｉｚａｔｉｏｎ）でき、逆変換部１７０で逆変換（ｉｎｖｅｒｓｅ  ｔｒａｎｓｆｏｒｍ）できる。逆量子化及び／又は逆変換された係数は、加算器１７５を介して予測ブロックと合わせられ得る。逆量子化及び／又は逆変換された係数と予測ブロックとを合わせることにより、復元ブロック（ｒｅｃｏｎｓｔｒｕｃｔｅｄ  ｂｌｏｃｋ）が生成できる。ここで、逆量子化及び／又は逆変換された係数は、逆量子化及び逆変換のうちの少なくとも一つが行われた係数を意味し、復元された残余ブロックを意味することができる。
【００９８】
復元ブロックはフィルタ部１８０を経ることができる。フィルタ部１８０は、デブロッキングフィルタ（ｄｅｂｌｏｃｋｉｎｇ  ｆｉｌｔｅｒ）、サンプル適応的オフセット（Ｓａｍｐｌｅ  Ａｄａｐｔｉｖｅ  Ｏｆｆｓｅｔ；ＳＡＯ）、適応的ループフィルタ（Ａｄａｐｔｉｖｅ  Ｌｏｏｐ  Ｆｉｌｔｅｒ；ＡＬＦ）などの少なくとも一つを復元サンプル、復元ブロック又は復元画像に適用することができる。フィルタ部１８０はループ内フィルタ（ｉｎ−ｌｏｏｐ  ｆｉｌｔｅｒ）とも称される。
【００９９】
デブロッキングフィルタは、ブロック間の境界から生じたブロック歪みを除去することができる。デブロッキングフィルタを行うか否かを判断するために、ブロックに含まれている幾つかの列又は行に含まれているサンプルに基づいて、現在ブロックにデブロッキングフィルタを適用するか否かを判断することができる。ブロックにデブロッキングフィルタを適用する場合、必要なデブロッキングフィルタリング強度に応じて、互いに異なるフィルタを適用することができる。
【０１００】
サンプル適応的オフセットを用いて符号化エラーを補償するために、サンプル値に適正オフセット（ｏｆｆｓｅｔ）値を加えることができる。サンプル適応的オフセットは、デブロッキングを行った画像に対してサンプル単位で原本画像とのオフセットを補正することができる。画像に含まれているサンプルを一定数の領域に区分した後、オフセットを行うべき領域を決定し、該当領域にオフセットを適用する方法、又は各サンプルのエッジ情報を考慮してオフセットを適用する方法を使用することができる。
【０１０１】
適応的ループフィルタは、復元画像と原画像とを比較した値に基づいてフィルタリングを行うことができる。画像に含まれているサンプルを所定のグループに分けた後、当該グループに適用されるべきフィルタを決定してグループごとに差別的にフィルタリングを行うことができる。適応的ループフィルタを適用するか否かに関連した情報は、符号化ユニット（Ｃｏｄｉｎｇ  Ｕｎｉｔ、ＣＵ）別にシグナリングでき、それぞれのブロックに応じて、適用される適応的ループフィルタの形状及びフィルタ係数は異なり得る。
【０１０２】
フィルタ部１８０を経た復元ブロック又は復元画像は、参照ピクチャバッファ１９０に保存できる。フィルタ部１８０を経た復元ブロックは、参照画像の一部であり得る。いわば、参照画像は、フィルタ部１８０を経た復元ブロックからなる復元画像であり得る。保存された参照画像は、以後、画面間予測或いは動き補償に使用できる。
【０１０３】
図２は本発明が適用される復号化装置の一実施形態による構成を示すブロック図である。
【０１０４】
復号化装置２００はデコーダ、ビデオ復号化装置又は画像復号化装置であり得る。
【０１０５】
図２を参照すると、復号化装置２００は、エントロピー復号化部２１０、逆量子化部２２０、逆変換部２３０、イントラ予測部２４０、動き補償部２５０、加算器２５５、フィルタ部２６０、及び参照ピクチャバッファ２７０を含むことができる。
【０１０６】
復号化装置２００は、符号化装置１００から出力されたビットストリームを受信することができる。復号化装置２００は、コンピュータ可読記録媒体に保存されたビットストリームを受信するか、或いは有線／無線伝送媒体を介してストリミングされるビットストリームを受信することができる。復号化装置２００は、ビットストリームに対してイントラモード又はインターモードで復号化を行うことができる。また、復号化装置２００は、復号化を介して復元された画像又は復号化された画像を生成することができ、復元された画像又は復号化された画像を出力することができる。
【０１０７】
復号化に使用される予測モードがイントラモードである場合、スイッチがイントラに転換できる。復号化に使用される予測モードがインターモードである場合、スイッチがインターに転換できる。
【０１０８】
復号化装置２００は、入力されたビットストリームを復号化し、復元された残余ブロック（ｒｅｃｏｎｓｔｒｕｃｔｅｄ  ｒｅｓｉｄｕａｌ  ｂｌｏｃｋ）を取得することができ、予測ブロックを生成することができる。復元された残余ブロック及び予測ブロックが取得されると、復号化装置２００は、復元された残余ブロックと予測ブロックとを加算することにより、復号化の対象となる復元ブロックを生成することができる。復号化対象ブロックは現在ブロックと称されることもある。
【０１０９】
エントロピー復号化部２１０は、ビットストリームに対する確率分布に基づくエントロピー復号化を行うことにより、シンボルを生成することができる。生成されたシンボルは、量子化レベル形態のシンボルを含むことができる。ここで、エントロピー復号化方法は、上述したエントロピー符号化方法の逆過程であり得る。
【０１１０】
エントロピー復号化部２１０は、変換係数レベル（量子化レベル）を復号化するために、変換係数のスキャニング方法によって１次元のベクトル形態係数を２次元のブロック形態に変更することができる。
【０１１１】
量子化レベルは、逆量子化部２２０で逆量子化でき、逆変換部２３０で逆変換できる。量子化レベルは、逆量子化及び／又は逆変換が行われた結果であって、復元された残余ブロックとして生成できる。このとき、逆量子化部２２０は、量子化レベルに量子化行列を適用することができる。
【０１１２】
イントラモードが使用される場合、イントラ予測部２４０は、復号化対象ブロック周辺の、既に復号化されたブロックのサンプル値を用いる空間的予測を現在ブロックに対して行うことにより、予測ブロックを生成することができる。
【０１１３】
インターモードが使用される場合、動き補償部２５０は、動きベクトル及び参照ピクチャバッファ２７０に保存されている参照画像を用いる動き補償を現在ブロックに対して行うことにより、予測ブロックを生成することができる。前記動き補償部２５０は、動きベクトルの値が整数値を持たない場合に参照画像内の一部の領域に対して補間フィルタを適用して予測ブロックを生成することができる。動き補償を行うために、符号化ユニットを基準に、該当符号化ユニットに含まれている予測ユニットの動き補償方法がスキップモード、マージモード、ＡＭＶＰモード及び現在ピクチャ参照モードのうちのいずれの方法であるかを判断することができ、各モードに応じて動き補償を行うことができる。
【０１１４】
加算器２２５は、復元された残余ブロック及び予測ブロックを加算して復元ブロックを生成することができる。フィルタ部２６０は、デブロッキングフィルタ、サンプル適応的オフセット及び適応的ループフィルタのうちの少なくとも一つを復元ブロック又は復元画像に適用することができる。フィルタ部２６０は復元画像を出力することができる。復元ブロック又は復元画像は、参照ピクチャバッファ２７０に保存されてインター予測に使用できる。フィルタ部２６０を経た復元ブロックは、参照画像の一部であり得る。いわば、参照画像は、フィルタ部２６０を経た復元ブロックからなる復元画像であり得る。保存された参照画像は、以後、画面間予測或いは動き補償に使用できる。
【０１１５】
図３は画像を符号化及び復号化するときの画像の分割構造を示す概略図である。図３は一つのユニットが複数のサブユニットに分割される実施形態を概略的に示す。
【０１１６】
画像を効率よく分割するために、符号化及び復号化において、符号化ユニット（Ｃｏｄｉｎｇ  Ｕｎｉｔ；ＣＵ）が使用できる。画像符号化／復号化の基本単位として符号化ユニットが使用できる。また、画像符号化／復号化の際に、画面内予測モード及び画面間予測モードが区分される単位で符号化ユニットを使用することができる。符号化ユニットは、予測、変換、量子化、逆変換、逆量子化、又は変換係数の符号化／復号化の過程のために使用される基本単位であり得る。
【０１１７】
図３を参照すると、画像３００は、最大符号化ユニット（Ｌａｒｇｅｓｔ  Ｃｏｄｉｎｇ  Ｕｎｉｔ；ＬＣＵ）単位で順次分割され、ＬＣＵ単位で分割構造が決定される。ここで、ＬＣＵは、符号化ツリーユニット（Ｃｏｄｉｎｇ  Ｔｒｅｅ  Ｕｎｉｔ；ＣＴＵ）と同一の意味で使用できる。ユニットの分割は、ユニットに該当するブロックの分割を意味することができる。ブロック分割情報には、ユニットの深さ（ｄｅｐｔｈ）に関する情報が含まれ得る。深さ情報は、ユニットが分割される回数及び／又は程度を示すことができる。一つのユニットは、ツリー構造（ｔｒｅｅ  ｓｔｒｕｃｔｕｒｅ）に基づいて深さ情報をもって階層的に複数のサブユニットに分割できる。いわば、ユニット及び該ユニットの分割によって生成されたサブユニットは、ノード及び該ノードの子ノードにそれぞれ対応することができる。それぞれの分割されたサブユニットは、深さ情報を持つことができる。深さ情報は、ＣＵの大きさを示す情報であり、ＣＵごとに保存できる。ユニット深さは、ユニットが分割された回数及び／又は程度を示すので、サブユニットの分割情報は、サブユニットの大きさに関する情報を含むこともできる。
【０１１８】
分割構造は、ＣＴＵ３１０内での符号化ユニット（Ｃｏｄｉｎｇ  Ｕｎｉｔ；ＣＵ）の分布を意味することができる。このような分布は、一つのＣＵを複数（２、４、８、１６などを含む２以上の正の整数）のＣＵに分割するか否かによって決定することができる。分割により生成されたＣＵの横幅と縦幅は、それぞれ分割前のＣＵの横幅の半分及び縦幅の半分であるか、分割された個数に応じて分割前のＣＵの横幅よりも小さいサイズ及び縦幅よりも小さいサイズを持つことができる。ＣＵは複数のＣＵに再帰的に分割できる。再帰的分割によって、分割されたＣＵの横幅及び縦幅のうちの少なくとも一つのサイズが分割前のＣＵの横幅及び縦幅のうちの少なくとも一つに比べて減少できる。ＣＵの分割は、予め定義された深さ又は予め定義されたサイズまで再帰的に行われ得る。例えば、ＣＴＵの深さは０であり、最小符号化ユニット（Ｓｍａｌｌｅｓｔ  Ｃｏｄｉｎｇ  Ｕｎｉｔ；ＳＣＵ）の深さは予め定義された最大深さであり得る。ここで、ＣＴＵは、上述したように、最大の符号化ユニットサイズを持つ符号化ユニットであり、ＳＣＵは、最小の符号化ユニットのサイズを持つ符号化ユニットであり得る。ＣＴＵ３１０から分割が始まり、分割によってＣＵの横幅及び／又は縦幅が減少するたびに、ＣＵの深さは１ずつ増加する。例えば、それぞれの深さ別に、分割されないＣＵは２Ｎ×２Ｎサイズを有することができる。また、分割されるＣＵの場合、２Ｎ×２ＮサイズのＣＵが、Ｎ×Ｎサイズを有する４つのＣＵに分割できる。Ｎのサイズは深さが１ずつ増加するたびに半分に減少することができる。
【０１１９】
また、ＣＵが分割されるか否かに対する情報は、ＣＵの分割情報を介して表現できる。分割情報は１ビットの情報であり得る。ＳＣＵを除いた全てのＣＵは、分割情報を含むことができる。例えば、分割情報の値が第１の値であれば、ＣＵが分割されなくてもよく、分割情報の値が第２の値であれば、ＣＵが分割されてもよい。
【０１２０】
図３を参照すると、深さ０のＣＴＵは６４×６４ブロックであり得る。０は最小深さであり得る。深さ３のＳＣＵは８×８ブロックであり得る。３は最大深さであり得る。３２×３２ブロック及び１６×１６ブロックのＣＵはそれぞれ深さ１及び深さ２で表現できる。
【０１２１】
例えば、一つの符号化ユニットが４つの符号化ユニットに分割される場合、分割された４つの符号化ユニットの横幅及び縦幅は、分割される前の符号化ユニットの横幅及び縦幅と比較してそれぞれの半分のサイズを持つことができる。一例として、３２×３２サイズの符号化ユニットが４つの符号化ユニットに分割される場合、分割された４つの符号化ユニットはそれぞれ１６×１６のサイズを持つことができる。一つの符号化ユニットが４つの符号化ユニットに分割される場合、符号化ユニットは四分木（ｑｕａｄ−ｔｒｅｅ）状に分割（四分木分割、ｑｕａｄ−ｔｒｅｅ  ｐａｒｔｉｔｉｏｎ）されたといえる。
【０１２２】
例えば、一つの符号化ユニットが２つの符号化ユニットに分割される場合、分割された２つの符号化ユニットの横幅或いは縦幅は、分割される前の符号化ユニットの横幅或いは縦幅と比較して半分のサイズを持つことができる。一例として、３２×３２サイズの符号化ユニットが２つの符号化ユニットに縦分割される場合、分割された２つの符号化ユニットは、それぞれ１６×３２のサイズを有することができる。一例として、８×３２サイズの符号化ユニットが２つの符号化ユニットに横分割される場合、分割された２つの符号化ユニットは、それぞれ８×１６のサイズを有することができる。一つの符号化ユニットが２つの符号化ユニットに分割される場合、符号化ユニットは二分木（ｂｉｎａｒｙ−ｔｒｅｅ）状に分割（二分木分割、ｂｉｎａｒｙ−ｔｒｅｅ  ｐａｒｔｉｔｉｏｎ）されたといえる。
【０１２３】
例えば、一つの符号化ユニットが３つの符号化ユニットに分割される場合、分割される前に符号化ユニットの横幅或いは縦幅を１：２：１の比率で分割することにより、３つの符号化ユニットに分割することができる。一例として、１６ｘ３２サイズの符号化ユニットが３つの符号化ユニットに横分割される場合、分割された３つの符号化ユニットは、上側からそれぞれ１６ｘ８、１６ｘ１６及び１６ｘ８のサイズを有することができる。一例として、３２ｘ３２サイズの符号化ユニットが３つの符号化ユニットに縦分割される場合、分割された３つの符号化ユニットは、左側からそれぞれ８ｘ３２、１６ｘ３２及び８ｘ３２のサイズを有することができる。一つの符号化ユニットが３つの符号化ユニットに分割される場合、符号化ユニットは、三分木（ｔｅｒｎａｒｙ−ｔｒｅｅ）状に分割（三分木分割、ｔｅｒｎａｒｙ−ｔｒｅｅ  ｐａｒｔｉｔｉｏｎ）されたといえる。
【０１２４】
図３のＣＴＵ３２０は、四分木分割、二分木分割及び三分木分割がすべて適用されたＬＣＵの一例である。
【０１２５】
前述したように、ＣＴＵを分割するために、四分木分割、二分木分割及び三分木分割のうちの少なくとも一つが適用できる。それぞれの分割は、所定の優先順位に基づいて適用できる。例えば、ＣＴＵに対して四分木分割が優先的に適用できる。それ以上四分木分割できない符号化ユニットは、四分木のリーフノードに該当することができる。四分木のリーフノードに該当する符号化ユニットは、二分木及び／又は三分木のルートノードになることができる。つまり、四分木のリーフノードに該当する符号化ユニットは、二分木分割されるか、三分木分割されるか、或いはそれ以上分割できない。このとき、四分木のリーフノードに該当する符号化ユニットを二分木分割又は三分木分割して生成された符号化ユニットに対しては、再び四分木分割が行われないようにすることにより、ブロックの分割及び／又は分割情報のシグナリングを効果的に行うことができる。
【０１２６】
四分木の各ノードに該当する符号化ユニットの分割は、クワッド分割情報を用いてシグナリングできる。第１の値（例えば、「１」）を有するクワッド分割情報は、該当符号化ユニットが四分木分割されることを指示することができる。第２の値（例えば、「０」）を有するクワッド分割情報は、当該符号化ユニットが四分木分割されないことを指示することができる。クワッド分割情報は、所定の長さ（例えば、１ビット）を有するフラグであり得る。
【０１２７】
二分木分割と三分木分割との間には、優先順位が存在しないこともある。つまり、四分木のリーフノードに該当する符号化ユニットは、二分木分割又は三分木分割できる。また、二分木分割又は三分木分割により生成された符号化ユニットは、再び二分木分割又は三分木分割されるか、或いはそれ以上分割できない。
【０１２８】
二分木分割と三分木分割との間に優先順位が存在しない場合の分割は、複合型ツリー分割（ｍｕｌｔｉ−ｔｙｐｅ  ｔｒｅｅ  ｐａｒｔｉｔｉｏｎ）と呼ぶことがある。すなわち、四分木のリーフノードに該当する符号化ユニットは、複合型ツリー（ｍｕｌｔｉ−ｔｙｐｅ  ｔｒｅｅ）のルートノードになることができる。複合型ツリーの各ノードに該当する符号化ユニットの分割は、複合型ツリーの分割か否かの情報、分割方向情報及び分割ツリー情報のうちの少なくとも一つを用いてシグナリングできる。前記複合型ツリーの各ノードに該当する符号化ユニットの分割のために、分割か否かの情報、分割方向情報及び分割ツリー情報が順次シグナリングされてもよい。
【０１２９】
第１の値（例えば、「１」）を有する複合型ツリーの分割か否かの情報は、当該符号化ユニットが複合型ツリー分割されることを指示することができる。第２の値（例えば、「０」）を有する複合型ツリーの分割か否かの情報は、該当符号化ユニットが複合型ツリー分割されないことを指示することができる。
【０１３０】
複合型ツリーの各ノードに該当する符号化ユニットが複合型ツリー分割される場合、当該符号化ユニットは、分割方向情報をさらに含むことができる。分割方向情報は、複合型ツリー分割の分割方向を指示することができる。第１の値（例えば、「１」）を有する分割方向情報は、当該符号化ユニットが縦方向に分割されることを指示することができる。第２の値（例えば、「０」）を有する分割方向情報は、当該符号化ユニットが横方向に分割されることを指示することができる。
【０１３１】
複合型ツリーの各ノードに該当する符号化ユニットが複合型ツリー分割される場合、当該符号化ユニットは、分割ツリー情報をさらに含むことができる。分割ツリー情報は、複合型ツリー分割のために使用されたツリーを指示することができる。第１の値（例えば、「１」）を有する分割ツリー情報は、当該符号化ユニットが二分木分割されることを指示することができる。第２の値（例えば、「０」）を有する分割ツリー情報は、当該符号化ユニットが三分木分割されることを指示することができる。
【０１３２】
分割か否かの情報、分割ツリー情報及び分割方向情報は、それぞれ所定の長さ（例えば、１ビット）を有するフラグであり得る。
【０１３３】
クワッド分割情報、複合型ツリーの分割か否かの情報、分割方向情報及び分割ツリー情報のうちの少なくとも一つは、エントロピー符号化／復号化できる。前記情報のエントロピー符号化／復号化のために、現在符号化ユニットに隣接する周辺符号化ユニットの情報が利用できる。例えば、左側符号化ユニット及び／又は上側符号化ユニットの分割形態（分割か否か、分割ツリー及び／又は分割方向）は、現在符号化ユニットの分割形態に類似する確率が高い。よって、周辺符号化ユニットの情報に基づいて、現在符号化ユニットの情報のエントロピー符号化／復号化のためのコンテキスト情報を誘導することができる。このとき、周辺符号化ユニットの情報には、当該符号化ユニットのクワッド分割情報、複合型ツリーの分割か否かの情報、分割方向情報及び分割ツリー情報のうちの少なくとも一つが含まれ得る。
【０１３４】
他の実施形態として、二分木分割と三分木分割のうち、二分木分割が優先的に実行できる。すなち、二分木分割が先に適用され、二分木のリーフノードに該当する符号化ユニットを三分木のルートノードとして設定することもできる。この場合、三分割木のノードに該当する符号化ユニットに対しては、四分木分割及び二分木分割が行われないことがある。
【０１３５】
四分木分割、二分木分割及び／又は三分木分割によってそれ以上分割されない符号化ユニットは、符号化、予測及び／又は変換の単位になることができる。すなわち、予測及び／又は変換のために符号化ユニットがそれ以上分割されないことがある。したがって、符号化ユニットを予測ユニット及び／又は変換ユニットに分割するための分割構造、分割情報などがビットストリームに存在しないことがある。
【０１３６】
ただし、分割の単位となる符号化ユニットのサイズが最大変換ブロックのサイズよりも大きい場合、該当符号化ユニットは、最大変換ブロックのサイズと同じか或いは小さいサイズになるまで再帰的に分割できる。例えば、符号化ユニットのサイズが６４ｘ６４であり、最大変換ブロックのサイズが３２ｘ３２である場合、前記符号化ユニットは、変換のために、４つの３２ｘ３２ブロックに分割できる。例えば、符号化ユニットのサイズが３２ｘ６４であり、最大変換ブロックのサイズが３２ｘ３２である場合、前記符号化ユニットは、変換のために、２つの３２ｘ３２ブロックに分割できる。この場合には、変換のための符号化ユニットの分割か否かは、別にシグナリングされず、前記符号化ユニットの横又は縦と最大変換ブロックの横又は縦との比較によって決定できる。例えば、符号化ユニットの横が最大変換ブロックの横よりも大きい場合、符号化ユニットは、縦に２等分できる。また、符号化ユニットの縦が最大変換ブロックの縦よりも大きい場合、符号化ユニットは横方向に２等分できる。
【０１３７】
符号化ユニットの最大及び／又は最小サイズに関する情報、変換ブロックの最大及び／又は最小サイズに関する情報は、符号化ユニットの上位レベルでシグナリング又は決定できる。前記上位レベルは、例えば、シーケンスレベル、ピクチャレベル、スライスレベルなどであってもよい。例えば、符号化ユニットの最小サイズは４ｘ４と決定されてもよい。例えば、変換ブロックの最大サイズは６４ｘ６４と決定されてもよい。例えば、変換ブロックの最小サイズは４ｘ４と決定されてもよい。
【０１３８】
四分木のリーフノードに該当する符号化ユニットの最小サイズ（四分木の最小サイズ）に関する情報、及び／又は複合型ツリーのルートノードからリーフノードに至る最大深さ（複合型ツリーの最大深さ）に関する情報は、符号化ユニットの上位レベルでシグナリング又は決定できる。前記上位レベルは、例えば、シーケンスレベル、ピクチャレベル、スライスレベルなどであってもよい。前記四分木の最小サイズに関する情報、及び／又は前記複合型ツリーの最大深さに関する情報は、画面内スライスと画面間スライスのそれぞれに対してシグナリング又は決定できる。
【０１３９】
ＣＴＵのサイズと変換ブロックの最大サイズに関する差分情報は、符号化ユニットの上位レベルでシグナリング又は決定できる。前記上位レベルは、例えば、シーケンスレベル、ピクチャレベル、スライスレベルなどであってもよい。二分木の各ノードに該当する符号化ユニットの最大サイズ（二分木の最大サイズ）に関する情報は、符号化ツリーユニットの大きさと前記差分情報に基づいて決定できる。三分木の各ノードに該当する符号化ユニットの最大サイズ（三分木の最大サイズ）は、スライスのタイプによって異なる値を持つことができる。例えば、画面内スライスである場合には、三分木の最大サイズは３２ｘ３２であってもよい。また、例えば、画面間スライスである場合には、三分木の最大サイズは１２８ｘ１２８であってもよい。例えば、二分木の各ノードに該当する符号化ユニットの最小サイズ（二分木の最小サイズ）及び／又は三分木の各ノードに該当する符号化ユニットの最小サイズ（三分木の最小サイズ）は、符号化ブロックの最小サイズとして設定できる。
【０１４０】
別の例として、二分木の最大サイズ及び／又は三分木の最大サイズは、スライスレベルでシグナリング又は決定できる。また、二分木の最小サイズ及び／又は三分木の最小サイズは、スライスレベルでシグナリング又は決定できる。
【０１４１】
前述した様々なブロックのサイズ及び深さ情報に基づいて、クワッド分割情報、複合型ツリーの分割か否かの情報、分割ツリー情報及び／又は分割方向情報などがビットストリームに存在しても存在しなくてもよい。
【０１４２】
例えば、符号化ユニットのサイズが四分木の最小サイズよりも大きくなければ、前記符号化ユニットはクワッド分割情報を含まず、当該クワッド分割情報は第２の値に推論できる。
【０１４３】
例えば、複合型ツリーのノードに該当する符号化ユニットのサイズ（横及び縦）が二分木の最大サイズ（横及び縦）、及び／又は三分木の最大サイズ（横及び縦）よりも大きい場合、前記符号化ユニットは、二分木分割及び／又は三分木分割されないことがある。それにより、前記複合型ツリーの分割か否かの情報は、シグナリングされず、第２の値に推論できる。
【０１４４】
又は、複合型ツリーのノードに該当する符号化ユニットのサイズ（横及び縦）が二分木の最小サイズ（横及び縦）と同じであるか、或いは符号化ユニットのサイズ（横及び縦）が三分木の最小サイズ（横及び縦）の二倍と同じである場合、前記符号化ユニットは、二分木分割及び／又は三分木分割されないことがある。それにより、前記複合型ツリーの分割か否かの情報は、シグナリングされず、第２の値に推論できる。なぜなら、前記符号化ユニットを二分木分割及び／又は三分木分割する場合は、二分木の最小サイズ及び／又は三分木の最小サイズよりも小さい符号化ユニットが生成されるためである。
【０１４５】
又は、複合型ツリーのノードに該当する符号化ユニットの複合型ツリー内の深さが複合型ツリーの最大深さと同じである場合、前記符号化ユニットは、二分木分割及び／又は三分木分割されないことがある。それにより、前記複合型ツリーの分割か否かの情報は、シグナリングされず、第２の値に推論できる。
【０１４６】
又は、複合型ツリーのノードに該当する符号化ユニットに対して垂直方向の二分木分割、水平方向の二分木分割、垂直方向の三分木分割及び水平方向の三分木分割のうちの少なくとも一つが可能である場合にのみ、前記複合型ツリーの分割か否かの情報をシグナリングすることができる。そうでない場合、前記符号化ユニットは、二分木分割及び／又は三分木分割されないことがある。それにより、前記複合型ツリーの分割か否かの情報は、シグナリングされず、第２の値に推論できる。
【０１４７】
又は、複合型ツリーのノードに該当する符号化ユニットに対して垂直方向の二分木分割と水平方向の二分木分割がすべて可能であるか、或いは垂直方向の三分木分割と水平方向の三分木分割がすべて可能である場合にのみ、前記分割方向の情報をシグナリングすることができる。そうでない場合、前記分割方向情報は、シグナリングされず、分割が可能な方向を指示する値に推論できる。
【０１４８】
又は、複合型ツリーのノードに該当する符号化ユニットに対して垂直方向の二分木分割と垂直方向の三分木分割がすべて可能であるか、或いは水平方向の二分木分割と水平方向の三分木分割がすべて可能である場合にのみ、前記分割ツリー情報をシグナリングすることができる。そうでない場合、前記分割ツリー情報は、シグナリングされず、分割が可能なツリーを指示する値に推論できる。
【０１４９】
図４は画面内予測過程の実施形態を説明するための図である。
【０１５０】
図４の中心から外郭への矢印は、画面内予測モードの予測方向を示すことができる。
【０１５１】
画面内符号化及び／又は復号化は、現在ブロックの周辺ブロックの参照サンプルを用いて行われ得る。周辺ブロックは、復元された周辺ブロックであり得る。例えば、画面内符号化及び／又は復号化は、復元された周辺ブロックが含む参照サンプルの値又は符号化パラメータを用いて行われ得る。
【０１５２】
予測ブロックは、画面内予測の実行の結果として生成されたブロックを意味することができる。予測ブロックは、ＣＵ、ＰＵ及びＴＵのうちの少なくとも一つに該当することができる。予測ブロックの単位は、ＣＵ、ＰＵ及びＴＵのうちの少なくとも一つの大きさであり得る。予測ブロックは、２ｘ２、４ｘ４、１６ｘ１６、３２ｘ３２又は６４ｘ６４などのサイズを有する正方形のブロックであってもよく、２ｘ８、４ｘ８、２ｘ１６、４ｘ１６及び８ｘ１６などのサイズを有する長方形のブロックであってもよい。
【０１５３】
画面内予測は、現在ブロックに対する画面内予測モードに応じて行われ得る。現在ブロックが持つことが可能な画面内予測モードの数は、予め定義された固定値であってもよく、予測ブロックの属性によって異なるように決定された値であってもよい。例えば、予測ブロックの属性は、予測ブロックのサイズ及び予測ブロックの形状などを含むことができる。
【０１５４】
画面内予測モードの個数は、ブロックのサイズを問わずにＮ個に固定できる。また、例えば、画面内予測モードの個数は、３、５、９、１７、３４、３５、３６、６５、６７又は１３１などであり得る。また、画面内予測モードの個数は、ブロックのサイズ及び／又は色成分（ｃｏｌｏｒ  ｃｏｍｐｏｎｅｎｔ）のタイプによって異なり得る。例えば、色成分が輝度（ｌｕｍａ）信号であるか色差（ｃｈｒｏｍａ）信号であるかによって、画面内予測モードの個数が異なり得る。例えば、ブロックのサイズが大きくなるほど画面内予測モードの数は多くなってもよい。又は、輝度成分ブロックの画面内予測モードの個数は、色差成分ブロの画面内予測モードの個数よりも多くてもよい。
【０１５５】
画面内予測モードは非方向性モード又は方向性モードであり得る。非方向性モードは、ＤＣモード又はＰｌａｎａｒモードであり、方向性モード（ａｎｇｕｌａｒ  ｍｏｄｅ）は、特定の方向又は角度を持つ予測モードであり得る。前記画面内予測モードは、モード番号、モード値、モード数字、モード角度及びモード方向のうちの少なくとも一つで表現できる。画面内予測モードの個数は、前記非方向性及び方向性モードを含む一つ以上のＭ個であり得る。
【０１５６】
現在ブロックを画面内予測するために、復元された周辺ブロックに含まれるサンプルが現在ブロックの参照サンプルとして利用可能であるか否かを検査するステップが行われ得る。現在ブロックの参照サンプルとして利用不可能なサンプルが存在する場合、復元された周辺ブロックに含まれているサンプルのうちの少なくとも一つのサンプル値をコピー及び／又は補間した値を用いて、参照サンプルとして利用不可能なサンプルのサンプル値を代替した後、現在ブロックの参照サンプルとして利用することができる。
【０１５７】
画面内予測の際に、画面内予測モード及び現在ブロックのサイズのうちの少なくとも一つに基づいて、参照サンプル又は予測サンプルのうちの少なくとも一つにフィルタを適用することができる。
【０１５８】
Ｐｌａｎａｒモードの場合、現在ブロックの予測ブロックを生成するとき、予測対象サンプルの予測ブロック内の位置に基づいて、現在サンプルの上側及び左側参照サンプル、現在ブロックの右上側及び左下側参照サンプルの重み付け和を用いて予測対象サンプルのサンプル値を生成することができる。また、ＤＣモードの場合、現在ブロックの予測ブロックを生成するとき、現在ブロックの上側及び左側参照サンプルの平均値を用いることができる。また、方向性モードの場合、現在ブロックの上側、左側、右上側及び／又は左下側参照サンプルを用いて予測ブロックを生成することができる。予測サンプル値を生成するために、実数単位の補間を行うこともできる。
【０１５９】
現在ブロックの画面内予測モードは、現在ブロックの周辺に存在するブロックの画面内予測モードから予測してエントロピー符号化／復号化することができる。現在ブロックと周辺ブロックとの画面内予測モードが同一であれば、所定のフラグ情報を用いて現在ブロックと周辺ブロックとの画面内予測モードが同一であるという情報をシグナリングすることができる。また、複数の周辺ブロックの画面内予測モードのうち、現在ブロックの画面内予測モードと同じ画面内予測モードに対するインジケータ情報をシグナリングすることができる。現在ブロックと周辺ブロックとの画面内予測モードが異なる場合、周辺ブロックの画面内予測モードに基づいてエントロピー符号化／復号化を行って現在ブロックの画面内予測モード情報をエントロピー符号化／復号化することができる。
【０１６０】
図５は本発明による画面内予測を説明するための図である。
【０１６１】
現在ブロックに対する画面内予測は、画面内予測モード誘導ステップ（Ｓ５１０）、参照サンプル構成ステップ（Ｓ５２０）、及び／又は画面内予測実行ステップ（Ｓ５３０）を含むことができる。
【０１６２】
ステップＳ５１０で、現在ブロックの画面内予測モードが誘導できる。現在ブロックの画面内予測モードは、周辺ブロックの画面内予測モードを用いる方法、ビットストリームから現在ブロックの画面内予測モードをエントロピー符号化／復号化する方法、周辺ブロックの符号化パラメータを用いる方法、又は色成分の画面内予測モードを用いる方法を用いて誘導できる。前記周辺ブロックの画面内予測モードを用いる方法によれば、周辺ブロックの画面内予測モード、周辺ブロックの一つ以上の画面内予測モードの組み合わせ、及び一つ以上のＭＰＭを用いて誘導された画面内予測モードのうちの少なくとも一つを用いて、現在ブロックの画面内予測モードが誘導できる。
【０１６３】
ステップＳ５２０で、参照サンプル選択、参照サンプルパディング及び参照サンプルフィルタリングのうちの少なくとも一つを行うことにより、参照サンプルが構成できる。
【０１６４】
ステップＳ５３０で、非方向性予測、方向性予測、位置情報に基づく予測、及び色成分間の予測のうちの少なくとも一つを行うことにより、画面内予測が行われ得る。前記方向性予測が行われる場合、現在ブロックの一つ以上のサンプルを含む所定の単位ごとに互いに異なる方向性又は補間フィルタの類型を持つ予測が行われ得る。前記所定の単位は、例えば、単一サンプル、サンプルグループ、ライン及びブロックのうちの少なくとも一つであり得る。ステップＳ５３０で、予測サンプルに対するフィルタリングがさらに行われ得る。前記フィルタの類型は、フィルタタップ、フィルタ係数及びフィルタ形状のうちの少なくとも一つを意味することができる。
【０１６５】
画面内予測は、画面内予測モード、現在ブロックのサイズ、現在ブロックの形状及び予測サンプルの位置のうちの少なくとも一つに基づいて適応的に行われ得る。例えば、複数の参照サンプルラインを用いるか否か、補間フィルタを行うか否か、補間フィルタの係数、フィルタリングを行うか否か、重み付け平均を行うか否か、及び／又は重み付け平均に使用される重みは、前記画面内予測モード、現在ブロックのサイズ、現在ブロックの形状及び予測サンプルの位置のうちの少なくとも一つに基づいて適応的に決定できる。これについての具体的な内容は後述する。
【０１６６】
現在ブロックの画面内予測モードを誘導するために、一つ以上の復元された周辺ブロックが利用できる。復元された周辺ブロックの位置は、予め定義された固定位置、又は符号化／復号化して誘導された位置であり得る。以下、符号化／復号化は、エントロピー符号化及び復号化を意味することができる。例えば、ＷｘＨサイズの現在ブロックの左上側コーナーサンプルの座標を（０，０）とするとき、前記周辺ブロックは、（−１，Ｈ−１）、（Ｗ−１，−１）、（Ｗ，−１）、（−１，Ｈ）及び（−１，−１）座標に隣接するブロック、及びこれらのブロックの周辺ブロックのうちの少なくとも一つであり得る。この時、前記Ｗ及びＨは、前記現在ブロックの横（Ｗ）及び縦（Ｈ）の長さまたはサンプルの数を示すことができる。
【０１６７】
利用不可能な周辺ブロックの画面内予測モードは、所定の画面内予測モードで代替できる。前記所定の画面内予測モードは、例えば、ＤＣモード、Ｐｌａｎａｒモード、垂直モード、水平モード及び／又は対角モードであり得る。例えば、周辺ブロックがピクチャ、スライス、タイル、ＣＴＵ（Ｃｏｄｉｎｇ  Ｔｒｅｅ  Ｕｎｉｔ）などのうちの少なくとも一つの所定のユニットの境界の外に位置するか、画面間予測されるか、或いはＰＣＭモードで符号化された場合、当該周辺ブロックは、利用不可能であると判断できる。又は、前記周辺ブロックが利用不可能である場合、前記利用不可能な周辺ブロックの画面内予測モードを代替せずに、前記利用不可能な周辺ブロックを利用しなくてもよい。
【０１６８】
現在ブロックの画面内予測モードは、所定の位置の周辺ブロックの画面内予測モード又は二つ以上の周辺ブロックの画面内予測モードの統計値を用いて誘導できる。本明細書において、統計値は、平均値、最大値、最小値、最頻値、中央値、重み付け平均値及び補間値のうちの少なくとも一つを意味することができる。
【０１６９】
又は、周辺ブロックのサイズに基づいて現在ブロックの画面内予測モードを誘導することができる。例えば、相対的にサイズが大きい周辺ブロックの画面内予測モードを現在ブロックの画面内予測モードとして誘導することができる。又は、相対的にサイズが大きいブロックの画面内予測モードに相対的に大きい重みを付与して統計値を計算することもできる。又は、相対的に大きい重みが付与されるモードが、予め定義されるか或いはシグナリングされ得る。例えば、垂直方向モード、水平方向モード、対角方向モード及び非方向性モードのうちの少なくとも一つに対して、相対的に大きい重みが付与できる。これらのモードに対しては、同一の重みが付与されてもよい。
【０１７０】
又は、周辺ブロックの画面内予測モードが方向性であるか否かが考慮できる。例えば、周辺ブロックの画面内予測モードが非方向性である場合、前記非方向性モードを現在ブロックの画面内予測モードとして誘導することができる。又は、前記非方向性モードを除く、他の周辺ブロックの画面内予測モードを用いて、現在ブロックの画面内予測モードを誘導することもできる。
【０１７１】
現在ブロックの画面内予測モードを誘導するために、周辺ブロックの画面内予測モードを用いて一つ以上のＭＰＭ（Ｍｏｓｔ  Ｐｒｏｂａｂｌｅ  Ｍｏｄｅ）リストを構成することができる。ＭＰＭリストに含まれる候補モードの個数Ｎは、固定されるか、或いは現在ブロックのサイズ及び／又は形状に応じて決定できる。ＭＰＭリストは、重複するモードがないように構成できる。利用可能な候補モードの個数がＮ未満である場合には、利用可能な候補モードのうち、所定の候補モード、例えば方向性モードに対して所定のオフセットを加減したモードを前記一つ以上のＭＰＭリストに追加することができる。又は、水平モード、垂直モード、４５度モード、１３５度モード、２２５度モード及び非方向性モードのうちの少なくとも一つをＭＰＭリストに追加することができる。前記所定のオフセットは１、２、３、４、又は正の整数であり得る。
【０１７２】
ＭＰＭリストは、周辺ブロックの位置に基づく所定の順序で構成できる。例えば、前記所定の順序は、現在ブロックの左側、上側、左下側コーナー、右上側コーナー及び左上側コーナーに隣接するブロックの順序であり得る。非方向性モードは、ＭＰＭリストの任意の位置に含まれ得る。例えば、左側及び上側に隣接するブロックの画面内予測モードの次に追加できる。
【０１７３】
現在ブロックを基準に生成されたＭＰＭリストは、現在ブロックに含まれている一つ以上のサブブロックに対するＭＰＭリストとして利用可能である。ＭＰＭリストを構成する候補モード間の順序、ＭＰＭリストに含まれる候補モードの個数などは、現在ブロックのサイズ、形状及び／又は成分に基づいて決定できる。
【０１７４】
又は、ＭＰＭリストに含まれていないモードの中から一部のモードを選択することにより、モードグループを構成し、構成されたモードグループを別のリストとして活用することができる。例えば、ＭＰＭ候補ではないモードをソートした後、所定の間隔でサンプリングしたモード、又はＭＰＭ候補モードに対してｎ（ｎは１以上の整数）を加減したモードを用いてモードグループを構成することができる。
【０１７５】
他の実施形態として、ＭＰＭリストを用いて誘導された画面内予測モードと周辺ブロックの画面内予測モードを用いて、現在ブロックの画面内予測モードが誘導できる。例えば、ＭＰＭリストを用いて誘導された画面内予測モードをＰｒｅｄ＿ｍｐｍとするとき、周辺ブロックの画面内予測モードを用いて前記Ｐｒｅｄ＿ｍｐｍを変更することができる。例えば、Ｐｒｅｄ＿ｍｐｍが周辺ブロックの画面内予測モード（又は二つ以上の画面内予測モードの統計値）よりも大きい場合には、Ｐｒｅｄ＿ｍｐｍをｎだけ増加させ、そうでない場合には、ｎだけ減少させることができる。この時、ｎは＋１、＋２、＋３、０、−１、−２、−３などの所定の整数であり得る。現在ブロックの画面内予測モードは、変更されたＰｒｅｄ＿ｍｐｍで誘導できる。又は、Ｐｒｅｄ＿ｍｐｍと周辺ブロックの画面内予測モードのうちの少なくとも一つが非方向性モードである場合、現在ブロックの画面内予測モードは前記非方向性モードで誘導されてもよい。又は、逆に、現在ブロックの画面内予測モードは方向性モードで誘導されてもよい。
【０１７６】
画面内予測モードを誘導する別の実施形態として、他の色成分の画面内予測モードを用いて現在ブロックの画面内予測モードを誘導することができる。例えば、現在ブロックが色差ブロックである場合、前記色差ブロックに対応する輝度ブロックの画面内予測モードが利用可能である。前記対応する輝度ブロックは一つ以上であり得る。前記対応する輝度ブロックは、色差ブロックのサイズ、形状及び／又は符号化パラメータのうちの少なくとも一つに基づいて決定されてもよい。又は、前記対応する輝度ブロックは、輝度ブロックのサイズ、形状及び／又は符号化パラメータのうちの少なくとも一つに基づいて決定されてもよい。
【０１７７】
色差ブロックに対応する輝度ブロックは、複数のパーティションを含むことができる。前記複数のパーティションの全部又は一部は、異なる画面内予測モードを持つことができる。色差ブロックの画面内予測モードは、対応する輝度ブロック内の複数のパーティションの全部又は一部に基づいて誘導できる。この際、色差ブロックと輝度ブロック（複数のパーティション全部又は一部）間のブロックサイズ、形状、深さ情報などの比較に基づいて、一部のパーティションが選択的に利用されてもよい。色差ブロック内の所定の位置に対応する輝度ブロック内位置のパーティションが選択的に利用されてもよい。前記所定の位置は、色差ブロックのコーナーサンプル（例えば、左上側サンプル）の位置または中央サンプルの位置を意味することができる。
【０１７８】
本発明に係る色成分間の画面内予測モードの誘導方法は、対応する輝度ブロックの画面内予測モードを用いることに限定されない。例えば、対応する輝度ブロックのｍｐｍ＿ｉｄｘ又はＭＰＭ  ｌｉｓｔのうちの少なくとも一つを利用または共有して色差ブロックの画面内予測モードを誘導することもできる。
【０１７９】
図６は輝度ブロックと色差ブロックの関係を説明するための例示図である。
【０１８０】
図６に示された例において、色成分間の比率は４：２：０であり、色差ブロックに対応する輝度ブロックはＡ、Ｂ、Ｃ及びＤのうちの少なくとも一つであり得る。
【０１８１】
図６に示された例において、色差ブロックの画面内予測モードは、色差ブロック内の左上側位置（０，０）に対応する輝度ブロックＡの画面内予測モード又は色差ブロックの中央サンプル（ｎＳ／２，ｎＳ／２）に対応する輝度ブロックＤの画面内予測モードを用いて誘導できる。前記色差ブロック内の所定の位置は（０，０）及び（ｎＳ／２，ｎＳ／２）に限定されない。例えば、前記所定の位置は、色差ブロック内の右上側、左下側、及び／又は右下側コーナーサンプルの位置であってもよい。
【０１８２】
前記所定の位置は、色差ブロックの形状に基づいて選択できる。例えば、色差ブロックが正方形である場合には、前記所定の位置は中央サンプルの位置であってもよい。例えば、色差ブロックが長方形である場合には、前記所定の位置は、左上側サンプルの位置であってもよい。上記の例において、色差ブロックが正方形である場合と、色差ブロックが長方形である場合における前記所定の位置は反対であってもよい。
【０１８３】
他の実施形態として、色差ブロックのサイズに対応する輝度ブロック内の一つ以上の画面内予測モードの統計値を用いて色差ブロックの画面内予測モードを誘導することができる。
【０１８４】
図６に示された例において、例えば、輝度ブロックＡとＤの画面内予測モードの平均に該当するモード、又は色差ブロックのサイズに対応する輝度ブロック内のＡ、Ｂ、Ｃ、Ｄの画面内予測モードの平均に該当するモードを色差ブロックの画面内予測モードとして誘導することができる。
【０１８５】
利用可能な輝度ブロックの画面内予測モードが複数存在する場合、それらの全部又は一部が選択できる。前記選択は、色差ブロック内の所定の位置に基づいて、或いは色差ブロック及び／又は輝度ブロックのサイズ、形状及び／又は深さに基づいて行われ得る。前記選択された輝度ブロックの画面内予測モードを用いて色差ブロックの画面内予測モードを誘導することができる。
【０１８６】
例えば、色差ブロック内の左上側サンプルの位置（０，０）に対応する輝度ブロックＡと色差ブロック内の中央サンプルの位置（ｎＳ／２，ｎＳ／２）に対応する輝度ブロックＤとのサイズを比較して、相対的に大きい輝度ブロックＤの画面内予測モードを用いて色差ブロックの画面内予測モードを誘導することができる。
【０１８７】
又は、色差ブロック内の所定の位置に対応する輝度ブロックが色差ブロックと同じかそれより大きければ、当該輝度ブロックの画面内予測モードを用いて色差ブロックの画面内予測モードを誘導することができる。
【０１８８】
又は、色差ブロックのサイズが所定の範囲に該当する場合、色差ブロック内の左上側サンプルの位置（０，０）に対応する輝度ブロックの画面内予測モードを用いて、色差ブロックの画面内予測モードを誘導することができる。
【０１８９】
又は、色差ブロックのサイズが所定の範囲に該当する場合には、色差ブロック内の所定の位置（０，０）と（ｎＳ／２，ｎＳ／２）に対応する輝度ブロックのサイズを比較して、大きいブロックの画面内予測モードを用いて、色差ブロックの画面内予測モードを誘導することができる。
【０１９０】
前記所定の範囲は、ビットストリームを介してシグナリングされる情報、ブロック（色差ブロック及び／又は輝度ブロック）のサイズ（及び／又は深さ）に関する情報、及び符号化／復号化器で予め定義された情報のうちの少なくとも一つに基づいて誘導できる。
【０１９１】
又は、色差ブロックの形状が長方形である場合、色差ブロック内の中央サンプルの位置（ｎＳ／２，ｎＳ／２）に対応する輝度ブロックの画面内予測モードを用いて、色差ブロックの画面内予測モードを誘導することができる。
【０１９２】
又は、輝度ブロック内の複数のパーティションのうち、色差ブロックと同じ形状を有するパーティションが利用できる。例えば、色差ブロックが正方形又は非正方形である場合、輝度ブロック内の複数のパーティションのうち、正方形又は非正方形のパーティションが利用できる。
【０１９３】
図６を参照して説明した例において、輝度ブロックの画面内予測モードを用いて色差ブロックの画面内予測モードを誘導するという意味は、輝度ブロックの画面内予測モードが色差ブロックの画面内予測モードとしてそのまま用いられる場合を含む。また、輝度ブロックの画面内予測モードを用いることに限定されず、輝度ブロックのｍｐｍ＿ｉｄｘ、ＭＰＭリストを含め、輝度ブロックの画面内予測モードの誘導時に使用された情報を用いてもよい。
【０１９４】
又は、前記所定の位置に対応する輝度ブロックの画面内予測モードを用いて、色差ブロックに対するＭＰＭリストを構成することもできる。この場合、色差ブロックに対するｍｐｍ＿ｉｄｘ情報が符号化されてシグナリングできる。色差ブロックに対するＭＰＭリストは、輝度ブロックのＭＰＭリストと同様の方法で構成できる。しかし、色差ブロックのＭＰＭ候補は、周辺色差ブロックの画面内予測モード、及び／又は対応する輝度ブロックの画面内予測モードを含むことができる。
【０１９５】
ＭＰＭ  ｆｌａｇが０である場合、一つ以上の画面内予測モードを含む２次ＭＰＭリストを構成し、２次ＭＰＭインデックス（２ｎｄ＿ｍｐｍ＿ｉｄｘ）を用いて現在ブロックの画面内予測モードを誘導することができる。この際、現在ブロックの画面内予測モードが２次ＭＰＭリストに含まれるかを指示する２次インジケータ（例えば、２次ＭＰＭ  ｆｌａｇ）が符号化／復号化できる。２次ＭＰＭリストは、１次ＭＰＭリストと同様に、周辺ブロックの画面内予測モードを用いて構成できる。このとき、１次ＭＰＭリストに含まれている画面内予測モードは、２次ＭＰＭリストに含まれなくてもよい。ＭＰＭリストの個数は１つ又は２つに限定されず、Ｎ個のＭＰＭリストが使用できる。
【０１９６】
現在ブロックの画面内予測モードが複数のＭＰＭリストのうちのいずれかに含まれない場合、現在ブロックの輝度成分の画面内予測モードは符号化／復号化できる。また、色差成分の画面内予測モードは、対応する輝度成分の画面内予測モードに基づいて誘導されるか、或いは符号化／復号化され得る。
【０１９７】
現在ブロックが複数のサブブロック（ｓｕｂ  ｂｌｏｃｋ）に分割される場合、分割されたそれぞれのサブブロックに対する画面内予測モードを誘導するために、前述した方法のうちの少なくとも一つが適用できる。
【０１９８】
サブブロックのサイズ及び／又は形状は、所定のサイズ及び／又は形状（例えば、４ｘ４）であるか、或いは現在ブロックのサイズ及び／又は形状に応じて決定できる。又は、サブブロックのサイズは、現在ブロックの周辺ブロックの分割有無に基づいて決定されるか、或いは現在ブロックの周辺ブロックの画面内予測モードに基づいて決定され得る。例えば、周辺ブロックの画面内予測モードが異なる境界を基準に、現在ブロックが分割できる。又は、周辺ブロックが画面内符号化ブロックであるか画面間符号化ブロックであるかに基づいて、現在ブロックが分割できる。
【０１９９】
現在ブロックの画面内予測モードが周辺ブロックの画面内予測モードを用いて誘導されることを示すインジケータ（例えば、ＮＤＩＰ＿ｆｌａｇ）が符号化／復号化できる。前記インジケータは、現在ブロック又はサブブロックのうちの少なくとも一つの単位ごとに符号化／復号化できる。この時、現在ブロック又はサブブロックのサイズが所定のサイズまたは所定のサイズ範囲に該当する場合にのみ、前記インジケータが符号化／復号化できる。
【０２００】
現在ブロックのサイズが所定のサイズに該当するかの判断は、現在ブロックの横又は縦の長さに基づいて行われ得る。例えば、横又は縦の長さが分割可能な長さであれば、現在ブロックのサイズが所定のサイズに該当すると判断できる。
【０２０１】
現在ブロックが複数のサブブロックに分割される場合、複数のサブブロックの画面内予測モードは、ジグザグ順に誘導されるか、或いは並列的に誘導され得る。サブブロックの画面内予測モードは、現在ブロックの画面内予測モードを誘導する方法の少なくとも一つの方法で誘導できる。この時、現在ブロックの周辺ブロックが各サブブロックの周辺ブロックとして用いられてもよい。又は、現在ブロック内のサブブロックが各サブブロックの周辺ブロックとして用いられてもよい。
【０２０２】
現在ブロック内のサブブロックのうち、第１サブブロックに対する画面内予測モードは、残りのサブブロックとは異なる方法で誘導できる。第１サブブロックは、例えば、スキャン順における最初のサブブロックであってもよい。
【０２０３】
現在ブロックに属するサブブロックの画面内予測モードは、現在ブロックの画面内予測モードと各サブブロックの（０，０）位置サンプルの左側及び上側に隣接するブロックの画面内予測モードの平均値を用いて誘導することができる。例えば、現在ブロックの画面内予測モードが前記平均値よりも大きい場合には、前記平均値の１／２だけを前記誘導した画面内予測モードから差し引くことができ、同じかそれより小さい場合には、加えることができる。
【０２０４】
画面内予測に関する情報は、ＶＰＳ（ｖｉｄｅｏ  ｐａｒａｍｅｔｅｒ  ｓｅｔ）、ＳＰＳ（ｓｅｑｕｅｎｃｅ  ｐａｒａｍｅｔｅｒ  ｓｅｔ）、ＰＰＳ（ｐｉｃｔｕｒｅ  ｐａｒａｍｅｔｅｒ  ｓｅｔ）、ＡＰＳ（ａｄａｐｔａｔｉｏｎ  ｐａｒａｍｅｔｅｒ  ｓｅｔ）、スライス（ｓｌｉｃｅ）ヘッダー、及びタイル（ｔｉｌｅ）ヘッダーのうちの少なくとも一つを介してシグナリングできる。所定のブロックサイズ以下では、画面内予測に関する情報のうちの少なくとも一つがシグナリングされないことがある。この場合には、以前に符号化／復号化されたブロック（例えば、上位ブロック）の画面内予測に関する情報が使用できる。
【０２０５】
前記誘導された画面内予測モードに基づいて、画面内予測のための参照サンプルが構成できる。以下の説明で、現在ブロックは、予測ブロック、又は予測ブロックよりも小さいサイズ／形状を有するサブブロックを意味することができる。参照サンプルは、現在ブロックの周辺の復元された一つ以上のサンプル又はサンプル組み合わせを用いて構成できる。また、構成された参照サンプルに対してフィルタリングが適用できる。
【０２０６】
参照サンプルの構成に使用される復元サンプルラインの数及び／又は位置は、符号化ツリーブロック内の現在ブロックの位置によって異なり得る。複数の復元サンプルライン上の各復元サンプルは、そのまま参照サンプルとして使用できる。又は、復元サンプルに所定のフィルタを適用し、フィルタリングされた復元サンプルを用いて参照サンプルを生成することもできる。フィルタが適用される復元サンプルは、同じ復元サンプルラインに属するか、或いは異なる復元サンプルラインに属する。
【０２０７】
前記構成された参照サンプルはｒｅｆ［ｍ，ｎ］で表し、周辺の復元されたサンプル、又はそれをフィルタリングしたサンプルはｒｅｃ［ｍ，ｎ］で表すことができる。このとき、ｍ又はｎは、サンプルの位置を示す所定の整数値であり得る。現在ブロック内の左上側サンプルの位置が（０，０）であるとき、現在ブロックの左上側参照サンプルの位置は（−１，−１）に設定できる。
【０２０８】
図７は複数の復元サンプルラインを説明するための図である。
【０２０９】
参照サンプルは、現在ブロックに隣接する一つ以上の復元サンプルラインを選択することにより構成できる。例えば、図７において、複数の復元サンプルラインの中からいずれかのラインを選択して参照サンプルを構成することができる。
【０２１０】
例えば、復元サンプルラインのうちの特定のラインが固定的又は適応的に選択できる。
【０２１１】
他の実施形態として、図７において、複数の復元サンプルラインの中から一つ以上の復元サンプルラインを選択し、選択された一つ以上の復元サンプルラインを組み合わせることにより、参照サンプルを構成することができる。
【０２１２】
例えば、数式１のように、現在ブロックからの距離に応じて異なる重みが適用された重み付け平均を用いて参照サンプルを構成することができる。
【数１】
2020533822.tif 000003
【０２１３】
又は、現在ブロックからの距離及び画面内予測モードのうちの少なくとも一つに基づいて、複数の復元サンプルの平均値、最大値、最小値、中央値及び最頻値の少なくとも一つの計算値を用いて参照サンプルを構成することができる。
【０２１４】
又は、連続する複数の復元サンプルの値の変化（変化量）に基づいて参照サンプルを構成することができる。例えば、連続する二つの復元サンプルの値がしきい値以上異なるか否か、連続する複数の復元サンプルの値が連続的又は不連続的に変わるか否かなどの少なくとも一つに基づいて、参照サンプルを構成することができる。例えば、ｒｅｃ［−１，−１］とｒｅｃ［−２，−１］がしきい値以上異なる場合、ｒｅｆ［−１，−１］は、ｒｅｃ［−１，−１］と決定されるか、ｒｅｃ［−１，−１］に所定の重みを付与した加重平均を適用した値と決定され得る。例えば、連続する複数の復元サンプルの値が現在ブロックに近づくほどｎずつ変わる場合、参照サンプルｒｅｆ［−１，−１］＝ｒｅｃ［−１，−１］−ｎで決定できる。
【０２１５】
別の実施形態として、図７において、２つ以上の復元サンプルラインを選択して参照サンプルを構成することができる。一例として、復元サンプルライン１と復元サンプルライン２を固定的に選択するか、或いは復元サンプルライン１乃至復元サンプルライン４に該当する４つのラインを選択して参照サンプルを構成することができる。
【０２１６】
または、２つ以上の復元サンプルラインを適応的に選択して参照サンプルを構成することもできる。一例として、１つのラインは、固定的に選択し、別の一つ以上のラインは、適応的に選択して参照サンプルを構成することができる。
【０２１７】
前記固定的に選択されるラインは、符号化器／復号化器で予め定義できる。予め定義された場合、前記固定的に選択されたラインに対する情報はシグナリグされなくてもよい。
【０２１８】
前記適応的に選択されるラインに対する情報は、インジケータまたはインデックスの形態でシグナリングできる。前記適応的に選択されるラインは、現在ブロックまたは周辺ブロックのサイズ／形状、画面内予測モードなどの符号化パラメータのうちの少なくとも一つを用いて決定できる。この場合、選択に必要な情報はシグナリングされなくてもよい。
【０２１９】
前記参照サンプルラインは一つ以上のサンプルから構成できる。例えば、現在ブロックの横又は縦の長さと同じ長さで構成できる。又は、前記横又は縦の長さの２倍に該当する長さで構成できる。又は、前記横又は縦の長さの２培に１、２、３、．．．、Ｎ個のサンプルを加えた長さで構成できる。すなわち、前記参照サンプルラインは、２＊（Ｗ＋Ｈ）＋Ｎ個で構成でき、Ｎは１以上の整数であり得る。
【０２２０】
前記現在ブロックの上側に隣接する参照サンプルを構成する方法と左側に隣接する参照サンプルを構成する方法とは互いに異なり得る。例えば、上側の参照サンプルラインの数と左側の参照サンプルラインの数とを異なるように構成することができる。例えば、現在ブロックの横または横のサイズ、画面内予測モードのうちの少なくとも一つに応じて、上側に隣接する参照サンプルラインは１つ、左側に隣接する参照サンプルラインは２つで構成できる。例えば、上側の参照サンプルラインの長さと左側の参照サンプルラインの長さとを異なるように構成することができる。例えば、現在ブロックの横または縦のサイズ、画面内予測モードのうちの少なくとも一つに応じて前記長さを異なるように構成することができる。
【０２２１】
前記参照サンプルラインの長さは、参照サンプルラインごとに異なるように構成することができる。例えば、図７において、復元サンプルライン２乃至復元サンプルライン４の長さは、復元サンプル１よりも一つ以上のサンプルだけ長く構成することができる。
【０２２２】
前記参照サンプルラインの長さは、前記復元サンプルラインごとに異なり得る。例えば、復元サンプルラインｎは、復元サンプルラインｎ−１よりもｍ個のサンプルだけ長く又は短く構成できる。図７に示された例では、復元サンプルラインｎは復元サンプルラインｎ−１よりも一つのサンプルだけ長く構成される。
【０２２３】
又は、前記参照サンプルラインのそれぞれは、画面内予測モードに応じてシフトされることにより再構成できる。例えば、画面内予測モードによって参照される位置に参照サンプルが存在しない場合、参照サンプルが位置するように当該参照サンプルラインをシフトすることができる。どんな参照サンプルラインをシフトするか又はどれほどシフトするかは、画面内予測モード、予測角度及び／又は参照サンプルラインの位置に基づいて決定できる。
【０２２４】
前述したように、最も近い参照サンプルラインのみを用いて参照サンプルを構成するか、或いは複数の参照サンプルラインを用いて参照サンプルを構成するかについての情報は、符号化／復号化できる。例えば、前記情報は、シーケンス、ピクチャ、スライス、タイル、ＣＴＵ、ＣＵ、ＰＵ及びＴＵレベルのうちの少なくとも一つのレベルで符号化／復号化できる。また、複数の参照サンプルラインの利用可能性についての情報がより上位レベルでシグナリングされてもよい。
【０２２５】
前記参照サンプルの構成に使用される復元サンプルラインの数、位置及び構成方法のうちの少なくとも一つは、現在ブロックの上側又は左側の境界がピクチャ、スライス、タイル及び符号化ツリーブロック（ＣＴＢ）のうちの少なくとも一つの境界に該当する場合に応じて異ならせることができる。例えば、前記２つ以上の参照サンプルラインを構成する際に、現在ブロックの上側境界がピクチャ、タイル、スライス及び符号化ツリーブロック（ＣＴＢ）のうちの少なくとも一つに該当する場合、上側に隣接する参照サンプルラインを１つで構成することができる。例えば、現在ブロックの上側境界がＣＴＵの上側境界である場合には、１つの参照サンプルラインのみを構成し、それ以外の場合には、２つ以上の参照サンプルラインを構成することができる。この際、ＣＴＵの上側境界の参照サンプルラインを１つのみ使用することにより、メモリに保存するためのラインバッファ（ｌｉｎｅ  ｂｕｆｆｅｒ）を減少させる効果を確認することができる。
【０２２６】
前記参照サンプルを選択するにあたり、参照サンプルを含んでいるブロックの可用性（ａｖａｉｌａｂｉｌｉｔｙ）判断及び参照サンプルパディング（ｐａｄｄｉｎｇ）を行うことができる。例えば、参照サンプルを含んでいるブロックが利用可能である場合には、該当する前記参照サンプルを用いることができる。一方、前記参照サンプルを含んでいるブロックが利用不可能である場合には、周辺の利用可能な一つ以上の参照サンプルを用いて、前記利用不可能な参照サンプルをパディングすることにより代替することができる。
【０２２７】
参照サンプルがピクチャ、タイル、スライス、符号化ツリーブロック（ＣＴＢ）及び所定の境界のうちの少なくとも一つの境界の外に存在する場合、前記参照サンプルは利用不可能であると判断できる。現在ブロックが、限られた画面内予測（ＣＩＰ：ｃｏｎｓｔｒａｉｎｅｄ  ｉｎｔｒａ  ｐｒｅｄｉｃｔｉｏｎ）で符号化される場合に、前記参照サンプルを含んでいるブロックが画面間モードで符号化／復号化されていれば、前記参照サンプルは利用不可能であると判断できる。
【０２２８】
図８は利用可能なサンプルを用いて、利用不可能なサンプルを代替する過程を説明するための図である。
【０２２９】
前記周辺の復元されたサンプルが利用不可能であると判断される場合、周辺の利用可能な復元されたサンプルを用いて、前記利用不可能なサンプルを代替することができる。例えば、図８に示すように、利用可能なサンプルと利用不可能なサンプルが存在する場合、一つ以上の利用可能なサンプルを用いて、前記利用不可能なサンプルを埋めることができる。
【０２３０】
利用不可能なサンプルのサンプル値は、所定の順序に従って、利用可能なサンプルのサンプル値で代替できる。利用不可能なサンプルの代替に用いられる利用可能なサンプルは、利用不可能なサンプルに隣接する利用可能なサンプルであり得る。隣接する利用可能なサンプルがない場合、最も先に出現する或いは最も近い利用可能なサンプルが用いられる。利用不可能なサンプルの代替順序は、例えば、左下側から右上側への順であってもよい。又は、右上側から左下側への順であってもよい。又は、左上側コーナーから右上側及び／又は左下側への順であってもよい。又は、右上側及び／又は左下側から左上側コーナーへの順であってもよい。
【０２３１】
例えば、右下側サンプルの位置である０から開始して、利用可能なサンプルで、利用不可能なサンプルを代替することができる。すなわち、最初の利用不可能な４個のサンプルは「ａ」値で埋め、次の利用不可能な１３個のサンプルは「ｂ」値で埋めることができる。
【０２３２】
例えば、利用可能なサンプルの組み合わせを用いて埋めることができる。例えば、利用不可能なサンプルの両端に位置した利用可能なサンプルの平均値または補間を用いて、前記利用不可能なサンプルを埋めることができる。すなわち、最初の利用不可能な４個のサンプルは「ａ」値で埋め、次の利用不可能な１３個のサンプルは「ｂ」と「ｃ」の平均値または「ｂ」と「ｃ」の補間を用いて埋めることができる。
【０２３３】
又は、１３個の利用不可能なサンプルは、利用可能なサンプルｂとｃのサンプル値の間の任意の値で代替できる。この場合、利用不可能なサンプルは、互いに異なる値で代替できる。例えば、利用不可能なサンプルは、利用可能なサンプルａに近接するほどａの値に近接した値で代替できる。同様に、利用不可能なサンプルは、利用可能なサンプルｂに近接するほどｂの値に近接した値で代替できる。すなわち、利用不可能なサンプルから利用可能なサンプルａ及び／又はｂまでの距離に基づいて、利用不可能なサンプルの値が決定できる。利用不可能なサンプルの代替のために、これらの方法を含む複数の方法のうちの少なくとも一つが選択的に適用できる。利用不可能なサンプルの代替方法は、ビットストリームに含まれている情報によってシグナリングされるか、或いは符号化器と復号化器で予め定めた方法が利用できる。又は、利用不可能なサンプルの代替方法は、予め定めた方式によって誘導できる。例えば、利用可能なサンプルａとｂの値の差及び／又は利用不可能なサンプルの個数に基づいて、利用不可能なサンプルの代替方法を選択することができる。例えば、二つの利用可能なサンプルの値の差としきい値との比較、及び／又は利用不可能なサンプルの個数としきい値との比較に基づいて、利用不可能なサンプルの代替方法が選択できる。例えば、二つの利用可能なサンプルの値の差がしきい値よりも大きいか、及び／又は利用不可能なサンプルの個数がしきい値よりも大きい場合には、利用不可能なサンプルは、互いに異なる値を持つように代替できる。利用不可能なサンプルの代替方法の選択は所定の単位で行われ得る。例えば、ビデオ、シーケンス、ピクチャ、スライス、タイル、符号化ツリーユニット、符号化ユニット、予測ユニット及び変換ユニットのうちの少なくとも一つの単位に対して、利用不可能なサンプルの代替方法が選択できる。このとき、利用不可能なサンプルの代替方法の選択は、前記所定の単位でシグナリングされる情報に基づくか、或いは前記所定の単位で誘導できる。又は、符号化器と復号化器で予め定めた方法が適用されてもよい。
【０２３４】
前記参照サンプルが所定の位置に該当する場合、前記参照サンプルを含むブロックの可用性を判断せずにパディングを行うことができる。例えば、図７において、現在ブロックの左上側コーナーサンプルの位置を（０，０）とするとき、ｘ座標またはｙ座標がＷ＋Ｈ以上である位置の参照サンプルに対しては、前記可用性判断を行わず、周辺の参照サンプルを用いてパディングすることができる。
【０２３５】
例えば、ｒｅｆ［Ｗ＋Ｈ，−２］のサンプルに対して可用性判断を行わずに、ｒｅｆ［Ｗ＋Ｈ−１，−２］の値でパディングすることができる。例えば、ｒｅｆ［Ｗ＋Ｈ，−３］及びｒｅｆ［Ｗ＋Ｈ＋１，−３］のサンプルに対して可用性判断を行わずにｒｅｆ［Ｗ＋Ｈ−１，−３］の値でパディングすることができる。すなわち、ｘ座標またはｙ座標がＷ＋Ｈ以上であるサンプルに対しては、可用性判断を行わず、同一サンプルライン上の最も近いサンプルを用いてパディングを行うことができる。
【０２３６】
現在ブロックの左上側コーナーサンプルの位置を（０，０）とするとき、現在ブロックの上側に存在する参照サンプルのうち、ｘ座標がＷ以上Ｗ＋Ｈ未満である位置に存在する参照サンプルに対して、前記可用性判断及びパディングが行われ得る。また、前記現在ブロックの左側に存在する参照サンプルのうち、ｙ座標がＨ以上Ｗ＋Ｈ未満である位置に存在する参照サンプルに対して、前記可用性判断及びパディングが行われ得る。
【０２３７】
例えば、現在ブロックの左上側コーナーサンプルの位置を（０，０）とするとき、ｒｅｃ［ｘ，−１］（ｘ＝−１〜Ｗ＋Ｈ−１）及び／又はｒｅｃ［−１，ｙ］（ｙ＝０〜Ｈ＋Ｗ−１）に該当する参照サンプルに対して、前記可用性判断及びパディングが行われ得る。
【０２３８】
前記パディングを行うにあたり、複数の参照サンプルラインが使用できる。例えば、現在ブロックに隣接する一番目の参照サンプルラインに対してパディングを行う場合、二番目の隣接する参照サンプルラインが使用できる。例えば、下記数式２を用いてパディングが行われ得る。すなわち、一番目の復元サンプルラインと二番目の復元サンプルラインから選択された複数のサンプル値の重み付け平均を用いて一番目の参照サンプルラインのサンプル値を誘導することができる。この際、選択される復元サンプルは、現在サンプル位置及び／又は現在サンプルに隣接する位置のサンプルであり得る。
【数２】
2020533822.tif 000004
【０２３９】
前記構成された一つ以上の参照サンプルに対してフィルタリングが行われ得る。前記フィルタリングは、現在ブロックの画面内予測モード、現在ブロックのサイズ及び現在ブロックの形状のうちの少なくとも一つに基づいて適応的に行われ得る。例えば、フィルタリングの適用有無、フィルタの類型、フィルタ強さ及びフィルタ係数のうちの少なくとも一つが適応的に決定できる。
【０２４０】
例えば、複数の参照サンプルラインのそれぞれに対してフィルタリングの適用有無を異ならせることができる。例えば、現在ブロックに隣接する一番目の参照サンプルラインに対してはフィルタリングを適用し、二番の参照サンプルラインに対してはフィルタリングを適用しなくてもよい。例えば、同一の参照サンプルに対してフィルタリングを適用した値と適用していない値とを一緒に使用することができる。
【０２４１】
例えば、現在ブロックの画面内予測モード、現在ブロックのサイズ及び現在ブロックの形状のうちの少なくとも一つに応じて、３−ｔａｐフィルタ、５−ｔａｐフィルタ、７−ｔａｐフィルタ、及びＮ−ｔａｐフィルタのうちの少なくとも一つを異なるように選択して適用することができる。このとき、Ｎは正の整数であり得る。
【０２４２】
例えば、現在ブロックの画面内予測モード、現在ブロックのサイズ及び現在ブロックの形状のうちの少なくとも一つに応じて、フィルタの形状を異なるように選択して適用することができる。例えば、図９は様々なフィルタ形状を示す図である。
【０２４３】
前記現在ブロックの形状は、前記現在ブロックの横及び縦の長さを比較して判断又は決定できる。例えば、前記現在ブロックが横に長い長方形であるか縦に長い長方形であるかによって、フィルタの適用有無、フィルタの類型、フィルタ強さ及びフィルタ係数のうちの少なくとも一つが適応的に決定できる。または、現在ブロックが正方形であるか長方形であるかによって、フィルタの適用有無、フィルタの類型、フィルタ強さ及びフィルタ係数のうちの少なくとも一つが適応的に決定できる。
【０２４４】
前記誘導された画面内予測モード及び参照サンプルに基づいて、前記現在ブロックに対する画面内予測を行うことができる。
【０２４５】
例えば、現在ブロックに対して非方向性画面内予測が行われ得る。
【０２４６】
非方向性画面内予測モードは、例えば、ＤＣモード、Ｐｌａｎａｒモード及びＬＭモードのうちの少なくとも一つであり得る。
【０２４７】
ＤＣモードの場合、前記構成した参照サンプルのうちの一つ以上の参照サンプルの平均値を用いて予測を行うことができる。この際、現在ブロックの境界に位置した一つ以上の予測サンプルに対してフィルタリングが適用できる。ＤＣ予測は、現在ブロックのサイズ及び形状の少なくとも一つに基づいて適応的に行われ得る。また、現在ブロックのサイズ及び形状のうちの少なくとも一つに基づいて、ＤＣモードに用いられる参照サンプルの範囲が特定できる。
【０２４８】
図１０はブロックの形状による画面内予測を説明するための図である。
【０２４９】
例えば、現在ブロックの形状が図１０（ａ）のように正方形である場合には、現在ブロックの上側と左側の参照サンプルの平均値を用いてＤＣ予測を行うことができる。
【０２５０】
例えば、現在ブロックが非正方形である場合、現在ブロックの左側又は上側に隣接する周辺サンプルが選択的に使用できる。現在ブロックの形状が図１０（ｂ）のように長方形である場合には、現在ブロックの横及び縦のうちの長い側に隣接する参照サンプルの平均値を用いて予測を行うことができる。
【０２５１】
例えば、現在ブロックのサイズが所定のサイズに該当するか或いは所定の範囲に含まれる場合、現在ブロックの上側又は左側の参照サンプルの中から所定のサンプルが選択され、選択されたサンプルの平均値を用いて予測を行うことができる。前記所定のサイズは、符号化器／復号化器で予め定められた固定サイズＮｘＭであり得る。ＮとＭは０より大きい整数であり、ＮとＭは互いに同一であっても異なってもよい。所定の範囲は、現在ブロックの参照サンプルを選択するためのしきい値を意味することができる。前記しきい値は、最小値及び最大値の少なくとも一つで実現できる。前記最小値及び／又は最小値は、符号化器／復号化器で予め定められた固定値であってもよく、符号化器で符号化されてシグナリングされる可変値であってもよい。
【０２５２】
例えば、一つ以上の平均値を用いて予測を行うことができる。現在ブロックが正方形又は非正方形である場合には、上側参照サンプルを用いた第１平均値と左側参照サンプルを用いた第２平均値のうちの少なくとも一つを用いることができる。前記現在ブロックのＤＣ予測値は、前記第１平均値又は第２平均値であってもよい。又は、前記現在ブロックのＤＣ予測値は、前記第１平均値と第２平均値の重み付け和を用いて取得された値であり得る。例えば、前記第１及び第２平均値に対する重みは１：１であってもよい。
【０２５３】
前記方法によれば、すべてのＤＣ値の計算のためにシフト演算を用いることができる。例えば、前記方法は、サンプルの長さで表現される現在ブロックの横、縦、又は横と縦の和が２の自乗ではない場合にも適用できる。前記方法は、輝度（ｌｕｍａ）ＤＣ予測及び色差（ｃｈｒｏｍａ）ＤＣ予測の両方に適用されてもよい。又は、輝度ＤＣ予測及び色差ＤＣ予測のうちの一方にのみ適用されてもよい。
【０２５４】
例えば、前記現在ブロックが非正方形である場合、横の長さ又は縦の長さのうちのいずれかに基づいて予測を行うことができる。例えば、上側参照サンプルと左側参照サンプルとの和を、前記現在ブロックの横の長さ又は縦の長さのうちの大きい方に分けて予測値を求めることができる。このとき、前記大きい方に該当する値を用いた除算は、シフト（ｓｈｉｆｔ）演算で行われ得る。
【０２５５】
例えば、複数の参照サンプルラインを用いてＤＣ予測を行うことができる。例えば、図１０（ｃ）のように、２つの参照サンプルラインを用いて予測を行うことができる。
【０２５６】
例えば、前記２つの参照サンプルラインに含まれる参照サンプルの平均値を前記現在ブロックのＤＣ予測値として決定することができる。
【０２５７】
又は、現在ブロックに隣接する第１ラインの参照サンプルと第２ラインの参照サンプルに対して、それぞれ異なる重みを付与することができる。例えば、第１ラインの参照サンプルと第２ラインの参照サンプルの値にそれぞれ３：１の重みを適用した値（例えば、（３＊第１ライン参照サンプル＋第２ライン参照サンプル＋２）＞＞２の値）を求め、これらの値の平均値を前記現在ブロックのＤＣ予測値として決定することができる。又は、（３＊第１ライン参照サンプル−第２ライン参照サンプル）＞＞１の値を求め、これらの値の平均値を前記現在ブロックのＤＣ予測値として決定することもできる。前記重みは、前述した例に限定されず、任意の重みになることもある。このとき、現在ブロックに隣接するサンプルラインであるほど相対的にさらに大きい重みが付与できる。利用可能な参照サンプルラインの数は、２つに限定されず、３つ以上の参照サンプルラインが用いられてもよい。
【０２５８】
一つ以上の参照サンプルを用いて生成した一つ以上の平均値を用いて予測を行うことができる。例えば、現在ブロックの上側に位置する第１ラインの参照サンプル平均値、第２ラインの参照サンプル平均値、現在ブロックの左側に位置する第１ラインの参照サンプル平均値及び第２ラインの参照サンプル平均値のうちの少なくとも一つを用いて予測を行うことができる。
【０２５９】
又は、前記第１ラインの参照サンプルと第２ラインの参照サンプルとの差異値を用いることができる。例えば、第１ライン参照サンプル＋（第１ライン参照サンプル−第２ライン参照サンプル）＞＞１の値を求め、これらの値の平均値を前記現在ブロックのＤＣ予測値として決定することができる。
【０２６０】
Ｐｌａｎａｒモードの場合には、前記現在ブロックの画面内予測対象サンプルの位置に応じて、前記構成した一つ以上の参照サンプルからの距離を考慮した重み付け和で予測を行うことができる。
【０２６１】
現在ブロックの参照サンプル又は予測サンプルに対してフィルタリングを行うことができる。例えば、参照サンプルに対してフィルタリングを適用した後、Ｐｌａｎａｒ予測を行い、一つ以上の予測サンプルに対してフィルタリングを適用することができる。前記予測サンプルのうちのフィルタリング対象サンプルは、現在ブロック内の上側又は左側境界の１、２又はＮ個のラインであり得る。
【０２６２】
前記Ｐｌａｎａｒ予測を行うために、一つ以上の参照サンプルの重み付け和を用いることができる。例えば、図１０（ｄ）のように５つの参照サンプルを用いることができる。例えば、［ｘ，ｙ］位置の対象サンプルを予測するために、参照サンプルｒ［−１，−１］、ｒ［ｘ，−１］、ｒ［−１，ｙ］、ｒ［Ｗ，−１］、ｒ［−１，Ｈ］が使用できる。このとき、Ｗ及びＨは、それぞれ現在ブロックの横及び縦の長さであり得る。一例としては、下記数式３を用いて予測サンプルｐｒｅｄ［ｘ，ｙ］を生成することができる。数式３において、ａ、ｂ、ｃ、ｄ、ｅは重みを示すことができる。Ｎはｌｏｇ２（ａ＋ｂ＋ｃ＋ｄ＋ｅ）であり得る。
【数３】
2020533822.tif 000005
【０２６３】
他の実施形態として、複数の参照サンプルラインを用いてＰｌａｎａｒ予測を行うことができる。例えば、２つの参照サンプルラインの重み付け和を用いて予測することができる。例えば、２つの参照サンプルラインに含まれている参照サンプルの重み付け和が使用できる。この場合、第１参照サンプルラインから選択された参照サンプルに隣接する参照サンプルが第２参照サンプルラインから選択できる。（−１，−１）座標の参照サンプルに対しては、（−２，−２）座標の参照サンプルが選択できる。前記選択された参照サンプルの重み付け和として、Ｐｌａｎａｒ予測が実行でき、重みはＤＣ予測で説明されたとおりである。
【０２６４】
方向性予測モードの場合、水平モード、垂直モード、及び所定の角度を持つモードのうちの少なくとも一つのモードであり得る。
【０２６５】
水平又は垂直モードの場合、予測対象サンプルの位置で水平又は垂直線上に存在する一つ以上の参照サンプルを用いて予測を行うことができる。複数の参照サンプルラインが使用でき、例えば、２つの参照サンプルラインが用いられる場合、水平又は垂直線上の２つの参照サンプルを用いて予測を行うことができる。同様に、Ｎ個の参照サンプルラインが用いられる場合、水平又は垂直線上のＮ個の参照サンプルが使用できる。
【０２６６】
垂直モードの場合、一番目の参照サンプルライン上の第１参照サンプル（例えば、ｒ［ｘ，−１］）と二番目の参照サンプルライン上の第２参照サンプル（例えば、ｒ［ｘ，−２］）の統計値で予測を行うことができる。
【０２６７】
例えば、（３＊ｒ［ｘ，−１］＋ｒ［ｘ，−２］＋２）＞＞２の値を計算して、垂直モードの予測値を決定することができる。又は、（３＊ｒ［ｘ，−１］−ｒ［ｘ，−２］＋１）＞＞１の値を計算して、垂直モードの予測値を決定することができる。又は、（ｒ［ｘ，−１］＋ｒ［ｘ，−２］＋１）＞＞１の値を計算して、垂直モードの予測値を決定することができる。
【０２６８】
例えば、垂直線上のサンプル値の変化量が考慮できる。例えば、（ｒ［ｘ，−１］＋（ｒ［ｘ，−１］−ｒ［ｘ，−２］）＞＞Ｎ）の値を計算して、垂直モードの予測値を決定することができる。このとき、Ｎは１以上の整数である得る。前記Ｎは固定された値であり得る。又は、予測対象サンプルのｙ座標が増加するにつれて、Ｎ値も増加することができる。例えば、Ｎ＝ｙ＋１である得る。
【０２６９】
水平モードの場合にも、前記垂直モードについて説明された一つ以上の方法が使用できる。
【０２７０】
所定の角度を持つモードの場合、画面内予測対象サンプルの位置で所定の角度線上及びその周辺に存在する一つ以上の参照サンプルを用いて予測を行うことができる。このとき、前記用いられる参照サンプルは、Ｎ個であって、２、３、４、５及び６つのうちの少なくとも一つであり得る。また、Ｎ個の参照サンプルにＮ−ｔａｐフィルタ、すなわち、例えば２−ｔａｐ、３−ｔａｐ、４−ｔａｐ、５−ｔａｐ、６−ｔａｐフィルタのうちの少なくとも一つを適用することにより、予測を行うことができる。このとき、参照サンプルの少なくとも一つは現在ブロックの上側に、残りは現在ブロックの左側にそれぞれ位置することもできる。現在ブロックの上側に位置する参照サンプル（又は左側に位置する参照サンプル）は、互いに同じラインに位置したものであってもよく、互いに異なるラインに位置したものであってもよい。
【０２７１】
他の実施形態として、画面内予測は、位置情報に基づいて行われ得る。このとき、位置情報は符号化／復号化でき、前記位置にある復元されたサンプルブロックを、現在ブロックの画面内予測ブロックとして誘導することができる。又は、復号化器において現在ブロックに類似するブロックを検索して見つけたブロックを、現在ブロックの画面内予測ブロックとして誘導することができる。
【０２７２】
他の実施形態として、色成分間の画面内予測が行われ得る。例えば、現在ブロックの復元された輝度成分を用いて色差成分に対する画面内予測を行うことができる。又は、現在ブロックの復元された一つの色差成分Ｃｂを用いて、他の色差成分Ｃｒに対する画面内予測を行うことができる。
【０２７３】
前述した様々な実施形態の画面内予測を行うにあたり、参照サンプル構成ステップでフィルタリングを行っていない参照サンプルが使用できる。つまり、フィルタリングされていない参照サンプルを用いて、非方向性予測または方向性予測を行うことができる。前記参照サンプル構成ステップのフィルタリングを行わないことにより、符号化／復号化器の複雑さが減少でき、ハードウェアも簡素化できる。
【０２７４】
前記画面内予測を行うにあたり、一つ以上の参照サンプルを用いて補間（ｉｎｔｅｒｐｏｌａｔｉｏｎ）予測を行うことができる。前記画面内予測を行うにあたり、現在ブロックの画面内予測モード、現在ブロックのサイズ及び現在ブロックの形状のうちの少なくとも一つに基づいて、参照サンプルラインの数、補間フィルタタップ数、補間フィルタ係数値、フィルタリング適用有無、重み付け平均方法及び重みのうちの少なくとも一つを異ならせて適用して予測を行うことができる。
【０２７５】
例えば、一つ以上の参照サンプルラインを用いることができ、一つ以上の符号化パラメータに基づいて前記参照サンプルラインの数を異ならせることができる。前記参照サンプルラインの数は複数であり得る。図１１は２つの参照サンプルラインを用いる一実施形態を示す図である。
【０２７６】
前記参照サンプルラインの数は、前記現在ブロックの画面内予測モード又は画面内予測モードの方向性に応じて異なり得る。例えば、現在ブロックの画面内予測モードがＤＣ又はＰｌａｎａｒモードのように非方向性モードである場合には、１つの参照サンプルラインを用いることができ、方向性モードである場合には、２つの参照サンプルラインを用いることができる。例えば、前記方向性モードが所定の条件又は範囲に該当する場合に応じて、参照サンプルラインの数を異ならせることができる。例えば、前記方向性モードが偶数モード番号を有する場合には、２つの参照サンプルラインを用い、奇数モード番号を有する場合には、１つの参照サンプルラインを用いることができる。例えば、水平及び垂直モードの場合には、１つの参照サンプルラインを用いることができる。例えば、前記画面内予測モードが所定の範囲に該当する場合には複数の参照サンプルラインを用い、そうでない場合には単一の参照サンプルラインを用いることができる。
【０２７７】
前記参照サンプルラインの数は、前記現在ブロックのサイズ及び／又は形状に応じて異なり得る。例えば、現在ブロックのサイズが所定のサイズよりも小さい場合には、１つの参照サンプルラインを用い、所定のサイズよりも大きい場合には、２つの参照サンプルラインを用いることができる。例えば、前記現在ブロックのサイズが１６ｘ１６（又はサンプルの個数が２５６個）と同じかそれより小さい場合には、１つの参照サンプルラインを用い、１６ｘ１６よりも大きい場合には、２つの参照サンプルラインを用いることができる。逆に小さいブロックに対して２つの参照サンプルラインを用い、大きいブロックに対して１つの参照サンプルラインを用いることもできる。例えば、現在ブロックの形状が正方形である場合には、２つの参照サンプルラインを用い、現在ブロックの形状が非正方形である場合には、１つの参照サンプルラインを用いることができる。前記参照サンプルラインの数は、前記現在ブロックの左側及び上側に対して異なるように決定できる。
【０２７８】
又は、現在ブロックの横又は縦の長さに基づいて、参照サンプルラインの数を異ならせることができる。例えば、現在ブロックの横又は縦の長さが所定の値よりも大きい場合には、複数の参照サンプルラインを用い、所定の値と同じかそれより小さい場合には、単一の参照サンプルラインを用いることができる。例えば、現在ブロックが４ｘＮブロック又はＮｘ４ブロックである場合は、１つの参照サンプルラインのみを構成し、それ以外の場合は、２つ以上の参照サンプルラインを構成することができる。２つ以上の参照サンプルラインに対しては、それぞれ同じ重みが適用できる。例えば、現在ブロックの横及び縦の統計値が所定の範囲に該当する場合には、複数の参照サンプルラインを用い、前記所定の範囲に該当しない場合には、単一の参照サンプルラインを用いることができる。
【０２７９】
前記参照サンプルラインの数は、現在ブロックの画面内予測モードと現在ブロックの長さ（横又は縦の長さ）に基づいて異ならせることができる。例えば、画面内予測モードが垂直方向のモードである場合には、現在ブロックの横の長さに基づいて参照サンプルラインの数を異ならせることができる。例えば、画面内予測モードが水平方向のモードである場合には、現在ブロックの縦の長さに基づいて参照サンプルラインの数を異ならせることができる。例えば、画面内予測モードが非方向性モードである場合、現在ブロックの横及び／又は縦の長さが所定の値又は所定の範囲に該当するか否かに応じて、参照サンプルラインの数を異ならせることができる。
【０２８０】
前記参照サンプルラインの数は、現在ブロックの色成分に基づいて異ならせることができる。例えば、輝度成分に対しては２以上の複数の参照サンプルラインを用い、色差成分に対しては１つの参照サンプルラインを用いることができる。
【０２８１】
前記参照サンプルラインの数は、現在ブロックの境界が所定の境界に該当する場合に異なり得る。例えば、現在ブロックの上側境界がピクチャ、スライス、タイル、符号化ツリーブロック（ＣＴＢ）及び所定のブロックサイズのうちの少なくとも一つの境界に該当する場合には、上側に対して１つの参照サンプルラインを用いることができる。同様に、現在ブロックの左側境界がピクチャ、スライス、タイル、符号化ツリーブロック（ＣＴＢ）及び所定のブロックサイズのうちの少なくとも一つの境界に該当する場合には、左側に対して１つの参照サンプルラインを用いることができる。前記所定のブロックサイズは、シグナリングされるか或いは符号化／復号化器で予め定義され得る。
【０２８２】
前記複数の参照サンプルラインを用いる場合、符号化パラメータ（例えば、画面内予測モード）に基づいて、用いる参照サンプルラインが異なり得る。例えば、画面内予測モードが偶数モードである場合には第１参照サンプルラインを用い、画面内予測モードが奇数モードである場合には第２参照サンプルラインを用いることができる。
【０２８３】
方向性予測を行うにあたり、補間フィルタが適用できる。前記補間フィルタは、２−ｔａｐ、４−ｔａｐ、６−ｔａｐ及びＮ−ｔａｐのうちの少なくとも一つのタップ数を持つことができ、Ｎは正の整数であり得る。前記補間フィルタタップごとに一つ以上のフィルタ係数値を持つことができる。
【０２８４】
例えば、下記数式４のように図１１のサンプルＳ００乃至Ｓ０５を用いて６−ｔａｐフィルタを適用することができ、フィルタ係数はａ乃至ｆであり得る。
【数４】
2020533822.tif 000006
【０２８５】
前記フィルタ係数の合計は３２、６４、１２８、２５６、５１２、１０２４及びＮのうちの少なくとも一つであり、各フィルタ係数は整数値であり得る。前記フィルタ係数の合計は、２のｇ乗に該当する値であり得る。例えば、前記フィルタ係数の合計が１０２４である場合、ｇは１０であり得る。
【０２８６】
現在ブロックのサイズ、形状、予測対象サンプルの位置及び画面内予測モードのうちの少なくとも一つに基づいて、前記補間フィルタタップ又は係数値が異なり得る。
【０２８７】
画面内予測モードによって前記補間フィルタタップ又は係数値が異なり得る。例えば、画面内予測モードが所定のモードに該当する場合には、４−ｔａｐフィルタを適用し、前記所定のモードに該当しない場合には、２−ｔａｐフィルタを適用することができる。また、画面内予測モードによる角度に基づいて、フィルタ係数値を異ならせることができる。例えば、６−ｔａｐの場合は、表１のようにＦｉｌｔｅｒ１とＦｉｌｔｅｒ２の２つのフィルタ類型を用いることができ、フィルタ係数値｛ａ，ｂ，ｃ，ｄ，ｅ，ｆ｝を持つことができ、ＬＵＴ（Ｌｏｏｋ−Ｕｐ  Ｔａｂｌｅ）形式で保存することができる。この場合、ルックアップテーブルを参照するためのインデックス情報が符号化／復号化できる。
【表１】
2020533822.tif 000007
【０２８８】
前記表１から分かるように、方向性モードの角度線に近接した参照サンプルに大きい重みが付与できる。例えば、画面内予測モードが偶数モードである場合には、第１フィルタを適用し、画面内予測モードが奇数モードである場合には、第２フィルタを適用することができる。
【０２８９】
又は、画面内予測モードが、４５度の倍数に該当する角度を有するモードである場合には、第１フィルタを適用し、その他の角度を有するモードである場合には、第２フィルタを適用することができる。前記第１フィルタと第２フィルタは、フィルタタップ、フィルタ係数及びフィルタ形状のうちの少なくとも一つが互いに異なり得る。
【０２９０】
現在ブロック内の予測対象サンプルの位置によって、前記補間フィルタタップ又は係数値が異なり得る。例えば、前記予測対象サンプルの位置が参照サンプルに隣接する場合には、第１補間フィルタを適用し、参照サンプルから距離が遠い予測対象サンプルを予測する場合には、第２補間フィルタを適用することができる。前記予測対象サンプルの位置に基づいて、第３、第４、．．．、第Ｎの補間フィルタを適用することができ、前記現在ブロックのサイズ及び／又は形状によって前記補間フィルタの個数が異なり得る。前記複数の補間フィルタは、フィルタタップが同一であり、係数値が異なり得る。又は、フィルタタップ及びフィルタ係数値がすべて異なり得る。
【０２９１】
例えば、現在ブロックの横又は縦が第１長さに該当する場合には第１フィルタを適用し、 現在ブロックの横又は縦が第２長さに該当する場合には第２フィルタを適用することができる。
【０２９２】
一例として、方向性予測モードで用いられる参照サンプル領域に該当する現在ブロックの横又は縦の長さが８と同じかそれより小さい場合には、第１フィルタを適用し、８よりも大きい場合には、第２フィルタを適用することができる。
【０２９３】
例えば、ブロックのサイズが６４以下である場合には、第１フィルタを使用することができる。そうでない場合には、第２フィルタを使用することができる。前記２タイプのフィルタは、予測対象サンプルの位置に基づいて選択的に使用できる。例えば、画面内予測モードが３４乃至６６の範囲に含まれる場合、現在ブロックの上側部分に位置する予測対象サンプルに対しては第１フィルタが適用され、現在ブロックの下側部分に位置する予測対象サンプルに対しては第２フィルタが適用され得る。同様に、画面内予測モードが２乃至３３の範囲に含まれる場合には、現在ブロックの左側部分に位置する予測対象サンプルに対しては第１フィルタが適用され、現在ブロックの右側部分に位置する予測対象サンプルに対しては第２フィルタが適用され得る。上記では、第１フィルタはキュービック補間フィルタであり、第２フィルタはガウス補間フィルタであり得る。
【０２９４】
例えば、現在ブロックの横又は縦の長さに応じてフィルタ係数値を適応的に選択して適用することができる。
【０２９５】
現在ブロックの色成分に基づいて、前記補間フィルタタップ又は係数値が異なり得る。例えば、輝度信号サンプルに対して第１フィルタを適用し、色差信号サンプルに対して第２フィルタを適用することができる。例えば、前記輝度信号サンプルに対して４−ｔａｐフィルタを適用し、色差信号サンプルに対して２−ｔａｐ（ｂｉｌｉｎｅａｒ）フィルタを適用することができる。
【０２９６】
複数の参照サンプルラインを使用する場合には、参照サンプルラインによって前記補間フィルタタップ又は係数値が異なり得る。例えば、現在ブロックに隣接する一番目の参照サンプルラインに対しては第１フィルタを適用し、二番目の参照サンプルラインに対しては第２フィルタを適用することができる。図１１のように方向性予測を行う場合には、一番目のラインに存在するサンプルＳ００乃至Ｓ０５を用いて第１補間フィルタを行うことができ、二番目のラインに存在するサンプルＳ１２乃至Ｓ１３を用いて第２補間フィルタを行うことができる。
【０２９７】
例えば、複数の参照サンプルラインにすべて第１フィルタを適用することができる。この場合、一番目の参照サンプルラインに適用するフィルタ係数値と、二番目の参照サンプルラインに適用するフィルタ係数値とが互いに異なり得る。
【０２９８】
このとき、方向性予測モードが２つの参照サンプルの間の所定の位置を通る場合には、参照サンプルラインごとに参照サンプルの位置が異なり得る。例えば、一番目の参照サンプルラインに存在するサンプルＳ０２とＳ０３を用いて２−ｔａｐ補間フィルタを行い、二番目の参照サンプルラインに存在するＳ１３とＳ１４を用いて２−ｔａｐ補間フィルタを行うことができる。
【０２９９】
複数の参照サンプルラインを使用する場合には、補間フィルタは２次元の形状を持つことができる。例えば、図９に示された例のような形状を有する第１フィルタが適用できる。
【０３００】
例えば、方向性予測を行うにあたり、補間フィルタを適用していない参照サンプルが使用できる。例えば、方向性モードに対応する参照サンプルが整数位置に存在する場合には、補間フィルタを適用せずに、前記参照サンプルを用いることができる。補間フィルタを適用しない参照サンプルに対しては、３−ｔａｐ、５−ｔａｐ及びＮ−ｔａｐフィルタのうちの少なくとも一つのフィルタを適用することができる。例えば、前記参照サンプルに対して｛１，２，１｝フィルタを適用することができる。この時、前記フィルタの適用有無は、現在ブロックの画面内予測モード、現在ブロックのサイズ及び現在ブロックの形状のうちの少なくとも一つに基づいて決定できる。
【０３０１】
例えば、前記複数の参照サンプルラインを使用する場合、各参照サンプルラインに補間フィルタを適用することにより取得した複数の値に対して補間フィルタ又は重み付け平均を適用することができる。例えば、下記数式５のように、一番目の参照サンプルラインに対して第１補間フィルタを適用して取得した値（Ｓ＿Ｆ１）と二番目の参照サンプルラインに対して第２補間フィルタを適用して取得した値（Ｓ＿Ｆ２）との重み付け平均を予測値（Ｓ＿Ｐ）として誘導することができる。このとき、ｈとｉは重みであり、ｈ＋ｉは２のｊ乗に該当する値であり得る。例えば、ｈ＝３、ｉ＝１、ｊ＝２であり得る。又は、ｈ、ｉ、ｊはいずれも１であり得る。前記第１補間フィルタ及び第２補間フィルタのフィルタ類型が互いに異なり得る。例えば、フィルタタップ及びフィルタ係数のうちの少なくとも一つは異なってもよい。
【数５】
2020533822.tif 000008
【０３０２】
又は、前記垂直予測のように角度線上の変化量を考慮して取得した値（例えば、（Ｓ＿Ｆ１＋（Ｓ＿Ｆ１−Ｓ＿Ｆ２）＞＞ｊ））を予測値として決定することができる。
【０３０３】
上記において、複数の参照サンプルラインのうち、現在ブロックに隣接する一番目のライン及び二番目のラインに対して互いに異なる補間を行うことについて説明した。しかし、前記説明は、複数の参照サンプルラインのうち、一番目のラインと二番目のラインに対する説明に限定されない。例えば、前記一番目のライン及び二番目のラインは、それぞれ複数の参照サンプルラインのうち、任意の第１ラインと第２ラインで置換できる。
【０３０４】
前記補間フィルタを適用するにあたり、前記構成した参照サンプル領域を外れるサンプルを用いる場合にパディングを行うことができる。例えば、方向性予測モードが図１１の参照サンプルＳ０４とＳ０５との間を通る場合は、６−ｔａｐフィルタを適用するにあたり、右側の外れる２つのサンプルを利用可能な参照サンプルＳ０５でパディングした後、補間フィルタを適用することができる。方向性モードの場合には、方向性予測モードに基づいて、前記構成した参照サンプルを再構成することができる。例えば、前記方向性予測モードが、左側及び上側に存在する参照サンプルをすべて用いるモードである場合には、左側又は上側の参照サンプルに対して１次元配列を構成することができる。又は、左側参照サンプルを用いて上側の参照サンプルを構成することもでき、一つ以上の左側参照サンプルの重み付け和を用いて上側の参照サンプルを構成することもできる。
【０３０５】
現在ブロックの所定のサンプルグループ単位で互いに異なる方向性画面内予測又は補間フィルタが行われてもよい。前記所定のサンプルグループ単位はブロック、サブブロック、ライン又は単一サンプルであってもよい。
【０３０６】
本発明に係る実施形態によれば、色成分（ｃｏｌｏｒ  ｃｏｍｐｏｎｅｎｔ）間の画面内予測を行うことができる。色成分間の画面内予測は、色成分ブロック再構成ステップ、予測パラメータ誘導ステップ及び／又は色成分間予測実行ステップを含むことができる。前記色成分は、輝度（ｌｕｍａ）信号、色差（ｃｈｒｏｍａ）信号は、Ｒｅｄ、Ｇｒｅｅｎ、Ｂｌｕｅ、Ｙ、Ｃｂ及びＣｒのうちの少なくとも一つを意味することができる。第２色成分、第３色成分及び第４色成分の少なくとも一つを用いて前記第１色成分に対する予測を行うことができる。このとき、予測に用いられる色成分の信号、原本信号、復元された信号、残差／レジデュアル信号、及び予測信号のうちの少なくとも一つであり得る。
【０３０７】
第２色成分対象ブロックに対して画面内予測を行うとき、前記対象ブロックに対応する第１色成分対応ブロックのサンプル及び／又は対応ブロックの周辺ブロックのサンプルのうちの少なくとも一つのサンプルを用いることができる。例えば、色差成分ブロックＣｂ又はＣｒに対して画面内予測を行うとき、前記色差成分ブロックに対応する復元された輝度成分ブロックＹを用いることができる。
【０３０８】
輝度成分を用いて色差成分を予測する場合、下記数式６が使用できる。
【数６】
2020533822.tif 000009
【０３０９】
式中、ＰｒｅｄＣ（ｉ，ｊ）は現在ブロックに対する予測色差サンプルを示し、ｒｅｃＬ（ｉ，ｊ）は現在ブロックの復元された輝度サンプルを示すことができる。このとき、ｒｅｃＬ’（ｉ，ｊ）は、ダウンサンプリングされた復元された輝度サンプルであり得る。パラメータα及びβは、現在ブロック周辺の復元された輝度サンプル及び復元された色差サンプル間の回帰誤差（ｒｅｇｒｅｓｓｉｏｎ  ｅｒｒｏｒ）を最小限に抑えることにより誘導できる。
【０３１０】
輝度成分を用いて色差成分を予測するための２つのモードが存在し得る。前記２つのモードは、単一モデルモード（ｓｉｎｇｌｅ  ｍｏｄｅｌ  ｍｏｄｅ）と複合モデルモード（ｍｕｌｔｉｐｌｅ  ｍｏｄｅｌ  ｍｏｄｅ）を含むことができる。単一モデルモードは、現在ブロックに対して輝度成分から色差成分を予測するとき、一つの線形モデルを用いることができる。複合モデルモードは、二つの線形モデルを用いることができる。
【０３１１】
複合モデルモードの場合、現在ブロックに隣接するサンプル（隣接輝度サンプル及び隣接色差サンプル）は、２つのグループに分類できる。すなわち、それぞれのグループに対するパラメータα及びβがそれぞれ誘導できる。また、隣接輝度サンプルの分類に使用されたルールに基づいて、現在ブロックの輝度サンプルの分類が行われ得る。
【０３１２】
例えば、隣接サンプルを２つのグループに分類するためのしきい値が計算できる。しきい値は、復元された隣接輝度サンプルの平均値で計算できる。しかし、これに限定されず、本明細書で認知しているさまざまな統計値のうちの少なくとも一つが平均値の代わりに利用できる。隣接サンプルがしきい値よりも大きい場合には第１グループに分類し、そうでない場合には第２グループに分類することができる。
【０３１３】
上記において、複合モデルモードでは、二つの線形モデルを用いると説明されたが、これに限定されず、二つ以上の線形モデルを用いる場合を含むことができる。このとき、Ｎ個の線形モデルを用いる場合、サンプルはＮ個のグループに分類できる。このために、Ｎ−１個のしきい値が計算できる。
【０３１４】
前述したように、輝度成分から色差成分を予測するとき、線形モデルが使用できる。このとき、線形モデルは、単純線形モデル（以下「ＬＭ１」という）、複合線形モデル（以下「ＬＭ２」という）、複合フィルタ線形モデル（以下「ＬＭ３」という）を含むことができる。前記モデルのパラメータは、現在ブロックの周辺の復元された輝度サンプル及び復元された色差サンプル間の回帰誤差（ｒｅｇｒｅｓｓｉｏｎ  ｅｒｒｏｒ）を最小限に抑えることにより誘導できる。
【０３１５】
図１２は前記モデルのパラメータを誘導するために用いられる現在ブロックの周辺サンプル（以下「隣接データセット」という）を説明するための図である。
【０３１６】
ＬＭ１のパラメータを誘導するための隣接データセットは、図１２に示されたライン領域Ｂとライン領域Ｃの輝度サンプルと色差サンプルとの対で構成できる。ＬＭ２及びＬＭ３のパラメータを誘導するための隣接データセットは、図１２に示されたライン領域Ｂ、ライン領域Ｃ、ライン領域Ｅ及びライン領域Ｆの輝度サンプルと色差サンプルとの対で構成できる。
【０３１７】
しかし、隣接データセットは、前記説明した例に限定されない。例えば、現在ブロック内の輝度サンプルと色差サンプル間の様々な線形関係をカバーするために、各モードに対してＮ個の隣接データセットを用いることができる。例えば、Ｎは、２以上の整数、特に３であり得る。
【０３１８】
線形モデルのパラメータは、上側テンプレートと左側テンンプレートの両方を用いて計算できる。又は、２つのＬＭモード（ＬＭ＿Ａモード及びＬＭ＿Ｌモード）が存在し、上側テンプレートと左側テンプレートは、それぞれＬＭ＿Ａモード及びＬＭ＿Ｌモードで使用できる。つまり、ＬＭ＿Ａモードでは、上側テンプレートのみを用いて線形モデルパラメータを求めることができる。現在ブロックの左上側コーナーサンプルの位置を（０，０）とするとき、上側テンプレートは（０，−ｎ）から（Ｗ＋Ｈ−１，−ｎ）まで拡張できる。このとき、ｎは１以上の整数であり得る。これと同様に、ＬＭ＿Ｌモードでは、左側テンプレートのみを用いて線形モデルパラメータを求めることができる。左側テンプレートは（−ｎ，０）から（−ｎ，Ｈ＋Ｗ−１）まで拡張できる。このとき、ｎは１以上の整数であり得る。
【０３１９】
線形モデルのパラメータを誘導するために、２の自乗個のサンプルが使用できる。現在色差ブロックが正方形ではない場合、線形モデルのパラメータを誘導するために用いられるサンプルは、現在ブロックの横及び縦のうちの短い方の個数を基準に決定できる。一実施形態によれば、現在ブロックのサイズがｎｘｍであり、ｎ＞ｍであるとき、上側に隣接するｎ個のサンプルのうちのｍ個のサンプルが、例えば、サブサンプリングを均等に行うことにより選択できる。この場合、線形モデルのパラメータを誘導するために用いられるサンプルの個数は、２ｍ個であり得る。他の実施形態として、現在ブロックのサイズがｎｘｍであり、ｎ＞ｍであるとき、上側に隣接するｎ個のサンプルのうちのｍ個のサンプルは使用しなくてもよい。例えば、ｎ個のサンプルのうち、現在ブロックの横及び縦のうちの短い方から最も遠く離れたｍ個のサンプルは使用しなくてもよい。この場合、線形モデルのパラメータを誘導するために用いられるサンプルの個数は、ｎ個（上側に隣接するサンプルｎ−ｍ個＋左側に隣接するサンプルｍ個）であり得る。
【０３２０】
又は、Ｃｒ成分ブロックに対して画面内予測を行うとき、Ｃｂ成分ブロックを用いることができる。又は、第４色成分ブロックに対して画面内予測を行うとき、前記ブロックに対応する第１色成分ブロック、第２色成分ブロック及び第３色成分ブロックのうちの少なくとも一つの組み合わせを用いることができる。
【０３２１】
色成分間画面内予測を行うか否かは、現在対象ブロックのサイズ及び形状のうちの少なくとも一つに基づいて決定できる。例えば、対象ブロックのサイズがＣＴＵサイズであるか、或いは所定のサイズ以上であるか、或いは所定のサイズ範囲に該当する場合には、前記対象ブロックに対して色成分間画面内予測を行うことができる。又は、対象ブロックの形状が所定の形状である場合には、前記対象ブロックに対して色成分間画面内予測を行うことができる。前記所定の形状は正方形であり得る。この場合、対象ブロックが長方形であれば、色成分間画面内予測は行われなくてもよい。前記所定の形状が長方形である場合には、前述した実施形態は逆に動作することができる。
【０３２２】
又は、色成分間画面内予測を行うか否かは、予測対象ブロックに対応する対応ブロック及び対応ブロックの周辺ブロックのうちの少なくとも一つの符号化パラメータに基づいて決定されることもある。例えば、ＣＩＰ（Ｃｏｎｓｔｒａｉｎｅｄ  ｉｎｔｒａ  ｐｒｅｄｉｃｔｉｏｎ）環境下で対応ブロックが画面間予測された場合、色成分間画面内予測は行われなくてもよい。又は、対応ブロックの画面内予測モードが所定のモードに該当する場合、色成分間画面内予測が行われてもよい。又は、対応ブロック及び周辺ブロックのＣＢＦ情報のうちの少なくとも一つに基づいて、色成分間画面内予測を行うか否かを決定することもできる。前記符号化パラメータは、ブロックの予測モードに限定されず、符号化／復号化に使用できる前述した様々なパラメータが使用できる。
【０３２３】
次に、色成分ブロック再構成ステップについて説明する。
【０３２４】
第１色成分ブロックを用いて第２色成分ブロックを予測するとき、前記第１色成分ブロックを再構成することができる。例えば、画像の色空間がＹＣｂＣｒであり、色成分間の比率が４：４：４、４：２：２、４：２：０のうちのいずれかである場合、色成分間ブロックのサイズが異なり得る。よって、サイズが異なる第１色成分ブロックを用いて第２色成分ブロックを予測するとき、２つのブロックのサイズを同一にするために、前記第１色成分ブロックを再構成することができる。このとき、再構成されたブロックは、前記第１色成分対応ブロックのサンプル及び周辺ブロックのサンプルのうちの少なくとも一つを含むことができる。図１３は色成分ブロックの再構成を説明するための例示図である。
【０３２５】
図１３（ａ）において、ｐ１［ｘ，ｙ］は第１色成分ブロックの（ｘ，ｙ）位置のサンプルを示すことができる。図１３（ｂ）において、ｐ１’［ｘ，ｙ］は前記第１色成分ブロックを再構成したブロックの（ｘ，ｙ）位置のサンプルを示すことができる。
【０３２６】
第１色成分ブロックのサイズが第２色成分ブロックのサイズよりも大きい場合、前記第１色成分ブロックをダウンサンプリング（ｄｏｗｎ−ｓａｍｐｌｉｎｇ）して第２色成分ブロックのサイズと同じサイズのブロックに再構成することができる。前記ダウンサンプリングは、一つ以上のサンプルに対してＮ−ｔａｐフィルタを適用して行われ得る（Ｎは１以上の整数）。このとき、下記数式７乃至数式１１の少なくとも一つの数式が使用できる。複数のダウンサンプリング方法の中からいずれかが選択的に使用される場合、符号化器は、一つのダウンサンプリング方法を所定の方法で選択することができる。例えば、符号化器は、最適の効果を有するダウンサンプリング方法を選択することができる。選択されたダウンサンプリング方法は、符号化されて復号化器へシグナリングできる。シグナリングされる情報は、ダウンサンプリング方法を指示するインデックス情報であり得る。
【数７】
2020533822.tif 000010
【数８】
2020533822.tif 000011
【数９】
2020533822.tif 000012
【数１０】
2020533822.tif 000013
【数１１】
2020533822.tif 000014
【０３２７】
二つ以上のサンプルを用いてダウンサンプリングを行う方法は、前記数式７乃至数式１１の実施形態に限定されない。例えば、ダウンサンプリングされた値ｐ１’［ｘ，ｙ］を計算するために使用できる二つ以上のサンプルは、ｐ１［２ｘ，２ｙ］及びこれに隣接するサンプルから選択できる。前記隣接するサンプルは、ｐ１［２ｘ−１，２ｙ−１］、ｐ［２ｘ−１，２ｙ］、ｐ１［２ｘ−１，２ｙ＋１］、ｐ１［２ｘ，２ｙ−１］、ｐ１［２ｘ，２ｙ＋１］、ｐ１［２ｘ＋１，２ｙ−１］、ｐ１［２ｘ＋１，２ｙ］、及びｐ１［２ｘ＋１，２ｙ＋１］から選択できる。二つ以上のサンプルを用いて平均又は重み付け平均を計算することにより、ダウンサンプリングを行うことができる。
【０３２８】
又は、前記ダウンサンプリングは、一つ以上のサンプルの中から特定のサンプルを選択して行われ得る。このとき、下記数式１２乃至数式１５のうちの少なくとも一つの数式が使用できる。
【数１２】
2020533822.tif 000015
【数１３】
2020533822.tif 000016
【数１４】
2020533822.tif 000017
【数１５】
2020533822.tif 000018
【０３２９】
第１色成分ブロックのサイズが第２色成分ブロックのサイズよりも小さい場合、前記第１色成分ブロックをアップサンプリング（ｕｐ−ｓａｍｐｌｉｎｇ）して第２色成分ブロックのサイズと同じサイズのブロックに再構成することができる。このとき、下記数式１６に使用できる。
【数１６】
2020533822.tif 000019
【０３３０】
前記再構成過程を行うにあたり、一つ以上のサンプルに対してフィルタを適用することができる。例えば、前記第１色成分対応ブロック、対応ブロックの周辺ブロック、第２色成分対象ブロック、及び対象ブロックの周辺ブロックのうちの少なくとも一つに含まれている一つ以上のサンプルに対してフィルタを適用することができる。
【０３３１】
前述した参照サンプル構成ステップで、複数の参照サンプルラインのうち、所定のラインに該当するインジケータがシグナリングできる。このとき、前記再構成過程では、前記シグナリングされたインジケータに該当する所定のラインを用いて再構成を行うことができる。
【０３３２】
前記再構成過程を行うにあたり、第２色成分対象ブロックの境界又は対応する第１色成分対応ブロックの境界のうちの少なくとも一つが所定の領域の境界に該当する場合、再構成に用いられる参照サンプルを異なるように選択することができる。このとき、上側参照サンプルラインの数と左側参照サンプルラインの数とが互いに異なり得る。前記所定の領域は、例えば、ピクチャ、スライス、タイル、ＣＴＵ及びＣＵの少なくとも一つであり得る。
【０３３３】
例えば、前記第１色成分対応ブロックの上側境界が前記所定の領域の境界に該当する場合、上側参照サンプルは用いず、左側参照サンプルだけを用いて再構成を行うことができる。前記第１色成分対応ブロックの左側境界が前記所定の領域の境界に該当する場合、左側参照サンプルは用いず、上側参照サンプルのみを用いて再構成を行うことができる。又は、Ｎ個の上側参照サンプルラインとＭ個の左側参照サンプルラインを用いることができ、このとき、ＮはＭよりも小さくてもよい。例えば、上側境界が前記所定の領域の境界に該当する場合、Ｎは１であり、左側境界が前記所定の領域の境界に該当する場合には、Ｍは１であり得る。
【０３３４】
又は、前記所定の領域の境界に該当するか否かを問わず、前記第１色成分対応ブロックのＮ個の上側参照サンプルライン及び／又はＭの左側参照サンプルラインを用いて再構成を行うこともできる。
【０３３５】
図１４は複数の上側及び／又は左側参照サンプルラインを用いて再構成を行う実施形態を説明するための図である。
【０３３６】
図１４（ａ）に示すように、４つの上側参照サンプルライン及び４つの左側参照サンプルラインを用いて再構成を行うことができる。
【０３３７】
例えば、第１色成分対応ブロックの上側又は左側の境界が前記所定の領域の境界に該当する場合、再構成に用いられる上側及び左側参照サンプルラインの数は異なり得る。例えば、図１４（ｂ）乃至（ｄ）に示すように、２つの上側参照サンプルライン及び４つの左側参照サンプルラインを用いるか、一つの上側参照サンプルライン及び３つの左側参照サンプルラインを用いるか、或いは一つの上側参照サンプルライン及び２つの左側参照サンプルラインを用いることができる。
【０３３８】
用いられる参照サンプルラインの数は、上記の例に限定されず、Ｎ個の上側参照サンプルラインとＭ個の左側参照サンプルラインが使用できる。ＮとＭは同一であっても異なってもよい。上側と左側の境界がすべて前記所定領域の境界に該当する場合、ＮとＭは同一であってもよく、例えば１であってもよい。又は、同じ条件で、ＮはＭよりも小さく設定できる。これは、左側参照サンプルラインよりも上側参照サンプルラインを保存するのにさらに多くのリソース（メモリ）が必要だからである。
【０３３９】
又は、図１４（ｅ）に示すように、第１色成分対応ブロックの横及び縦の長さを外れない一つ以上の参照サンプルを用いて再構成を行うこともできる。
【０３４０】
前記再構成を行うにあたり、第１色成分対応ブロック及びその周辺ブロック、第２色成分対象ブロック及びその周辺ブロックのうちの少なくとも一つのブロックのサイズ、形状、及び符号化パラメータのうちの少なくとも一つに応じて、第１色成分対応ブロックの参照サンプル再構成を異ならせて行うことができる。
【０３４１】
例えば、第１色成分対応ブロック又は周辺ブロックのうちの符号化モードが画面間符号化モードであるブロックのサンプルは用いず、画面内符号化モードであるブロックのサンプルを用いて参照サンプルを再構成することができる。
【０３４２】
図１５は対応ブロックの画面内予測モード又は符号化パラメータに応じて再構成に用いられる参照サンプルを説明するための例示図である。第１色成分対応ブロックの画面内予測モードに応じて、第１色成分ブロックの参照サンプル再構成を異ならせて行うことができる。例えば、対応ブロックの画面内予測モードがＤＣモード又はＰｌａｎａｒモードのように非方向性モードであるか、或いは上側参照サンプルと左側参照サンプルの両方を用いる方向性モードである場合、図１５（ａ）に示すように、上側及び左側に存在する参照サンプルのうちの少なくとも一つを用いて再構成を行うことができる。又は、対応ブロックの画面内予測モードが上側参照サンプルと右上側参照サンプルを用いる方向性モードである場合、図１５（ｂ）に示すように、上側及び右上側に存在する参照サンプルのうちの少なくとも一つを用いて再構成を行うことができる。又は、対応ブロックの画面内予測モードが左側及び左下側の参照サンプルを用いる方向性モードである場合、図１５（ｃ）に示すように、左側及び左下側に存在する参照サンプルのうちの少なくとも一つを用いて再構成を行うことができる。
【０３４３】
又は、第１色成分対応ブロック又は周辺ブロックのうちの少なくとも一つの量子化パラメータに応じて、第１色成分対応ブロックの参照サンプル再構成を異ならせて行うことができる。例えば、図１５（ｄ）に示すように、周辺ブロックの量子化パラメータ値（ＱＰ）が相対的に小さい上側ブロックに属する参照サンプルを用いて再構成を行うことができる。
【０３４４】
又は、第２色成分対象ブロックの形状が長方形である場合、正方形である第１色成分対応ブロック周辺の参照サンプルを用いて再構成を行うことができる。
【０３４５】
又は、第２色成分対象ブロックが２つのブロック（例えば、２つの１６ｘ８ブロック）に分割され、第１色成分対応ブロックは、例えば３２ｘ１６ブロックである場合には、３２ｘ３２ブロック周辺の参照サンプルを用いて再構成を行うことができる。このとき、前記第２色成分対応ブロックのうち、下側に位置した二番目の１６ｘ８ブロックに対応する第１色成分ブロックの参照サンプルとして、前記再構成した３２ｘ３２ブロック周辺の参照サンプルを共有することができる。
【０３４６】
以下、予測パラメータ誘導ステップについて説明する。
【０３４７】
前記再構成した第１色成分対応ブロックの参照サンプルと第２色成分予測対象ブロックの参照サンプルのうちの少なくとも一つを用いて、予測パラメータを誘導することができる。以下、第１色成分及び第１色成分ブロックは、再構成した第１色成分及び再構成した第１色成分ブロックを意味することができる。
【０３４８】
図１６は第２色成分予測対象ブロックが４ｘ４である場合、再構成された第１色成分対応ブロックを説明するための例示図である。このとき、参照サンプルラインはＮ個であり得る。
【０３４９】
予測パラメータは、図１６（ａ）に示すように、再構成された第１色成分対応ブロック又は第２色成分予測対象ブロックの上側と左側の参照サンプルを用いて誘導できる。
【０３５０】
例えば、予測パラメータは、第１色成分対応ブロックの画面内予測モードに基づいて、前記再構成された第１色成分の参照サンプルを適応的に用いることにより誘導できる。このとき、第２色成分の参照サンプルも、前記第１色成分対応ブロックの画面内予測モードに基づいて適応的に使用できる。
【０３５１】
第１色成分対応ブロックの画面内予測モードが、ＤＣモード又はＰｌａｎａｒモードのように非方向性モードであるか、或いは上側参照サンプル及び左側参照サンプルの両方を用いる方向性モードである場合、図１６（ａ）に示すように第１色成分対応ブロックの上側と左側参照サンプルを用いることができる。
【０３５２】
第１色成分対応ブロックの画面内予測モードが、上側参照サンプルを用いる方向性モードである場合、図１６（ｂ）又は（ｃ）に示すように、第１色成分対応ブロックの上側参照サンプルを用いることができる。
【０３５３】
第１色成分対応ブロックの画面内予測モードが、左側参照サンプルを用いる方向性モードである場合、図１６（ｄ）又は（ｅ）に示すように、第１色成分対応ブロックの左側参照サンプルを用いることができる。
【０３５４】
又は、第１色成分対応ブロックの画面内予測モードが方向性モードである場合、各モードごとに予測に用いる参照サンプルを前記第１色成分の参照サンプルとして用いることができる。例えば、前記画面内予測モードが垂直モードであれば、図１６（ｂ）に示された参照サンプルを用いることができる。前記画面内予測モードが水平モードであれば、図１６（ｄ）に示された参照サンプルを用いることができる。前記画面内予測モードが右上側多角線モードであれば、図１６（ｃ）に示された参照サンプルを用いることができる。前記画面内予測モードが左下側対角線モードであれば、図１６（ｅ）に示された参照サンプルを用いることができる。前記画面内予測モードが、垂直モードと右上側対角線モードとの間に存在するモードであれば、図１６（ｆ）に示された参照サンプルを用いることができる。前記画面内予測モードが４５度対角線に該当する方向性モードである場合、図１６（ｇ）に示すように右上側又は左下側の参照サンプルのうちの少なくとも一つを用いることができる。画面内予測モードに応じて用いられる参照サンプルは、ルックアップテーブル（Ｌｏｏｋ−ｕｐ  ｔａｂｌｅ）として保存して用いることができる。
【０３５５】
予測パラメータの誘導は、第１色成分ブロック及び／又は第２色成分ブロックのサイズ及び／又は形状に応じて、前記第１色成分又は第２色成分の参照サンプルを適応的に用いて行われ得る。
【０３５６】
例えば、前記第２色成分対象ブロックのサイズが６４ｘ６４である場合、前記第１色成分又は第２色成分ブロックの上側又は左側の参照サンプルのうち、３２個、１６個又は８個の参照サンプルが使用できる。上述のように、第２色成分対象ブロックのサイズが所定のサイズに該当する場合、前記第１又は第２色成分ブロックの参照サンプルが適応的に使用できる。前記所定のサイズは、６４ｘ６４に限定されず、ビットストリームを介してシグナリングされるか、或いは現在ブロック及び周辺ブロックの符号化パラメータに基づいて誘導されるサイズであり得る。
【０３５７】
又は、第２色成分対象ブロックの形状が長方形である場合、横及び縦のうちの長い方に隣接する参照サンプルが使用できる。例えば、前記対象ブロックのサイズが３２ｘ８である場合、前記第１色成分又は第２色成分ブロックの上側参照サンプルが使用できる。
【０３５８】
又は、第２色成分対象ブロックの形状が長方形である場合、正方形ブロックの参照サンプルを用いることができる。例えば、前記対象ブロックのサイズが３２ｘ８である場合、サイズ３２ｘ３２のブロックの周辺に位置した参照サンプルが使用できる。
【０３５９】
予測パラメータの誘導は、前記再構成された第１色成分ブロックの参照サンプル及び第２色成分ブロックの参照サンプルを用いて行われ得る。前記色成分の参照サンプル間の関連性、変化量、平均値及び分布などの少なくとも一つに基づいて予測パラメータが誘導できる。この際、ＬＳ（Ｌｅａｓｔ  Ｓｑｕａｒｅ）、ＬＭＳ（Ｌｅａｓｔ  Ｍｅａｎ  Ｓｑｕａｒｅ）などの方法のうちの少なくとも一つが使用できる。
【０３６０】
ＬＭＳ方法を用いて予測パラメータを誘導する場合、予測パラメータはａ、ｂ、又はアルファ、ベータのうちの少なくとも一つであり得る。下記数式１７を用いて、第１色成分参照サンプルと第２色成分参照サンプル間のエラーを最小化する予測パラメータを誘導することができる。
【数１７】
2020533822.tif 000020
【０３６１】
前記数式１７において、ｐ２ｎは第２色成分の参照サンプルを示し、ｐ１’ｎは再構成された第１色成分の参照サンプルを示すことができる。Ｎは用いられる参照サンプルの横又は縦の個数を示し、ａ及びｂは予測パラメータを示すことができる。
【０３６２】
このとき、下記数式１８を用いて、参照サンプル間の関連性を計算することができる。
【数１８】
2020533822.tif 000021
【０３６３】
前記数式１８において、ＢｉｔＤｅｐｔｈはビット深度を示すことができる。ｐ１’は再構成された第１色成分のサンプル、ｐ２は第２色成分のサンプルをそれぞれ示すことができる。図１７は第１色成分のサンプル及び第２色成分のサンプルを説明するための図である。
【０３６４】
予測パラメータを誘導するとき、参照サンプルが存在しない領域がある場合、存在する参照サンプルのみを用いて予測パラメータを誘導することができる。
【０３６５】
前記予測パラメータを一つ以上誘導することができる。例えば、前記予測パラメータを誘導するために用いる参照サンプルの値が特定の条件を満たす参照サンプルから第１予測パラメータを誘導することができる。また、前記特定の条件を満たしていない参照サンプルから第２予測パラメータを誘導することができる。前記特定の条件は、参照サンプルの値が参照サンプルの統計値（例えば、平均値）よりも小さい場合に該当することができる。
【０３６６】
本発明の他の実施形態によれば、参照サンプルを用いて予測パラメータを誘導せず、基本予測パラメータ（ｄｅｆａｕｌｔ  ｐａｒａｍｅｔｅｒ）が用いられることもある。前記基本予測パラメータは、符号化器と復号化器で予め定義できる。例えば、予測パラメータａ、ｂはそれぞれ１、０であり得る。
【０３６７】
又は、予測パラメータが誘導される場合、誘導された予測パラメータは符号化／復号化できる。
【０３６８】
Ｙ、Ｃｂ、Ｃｒ間の色成分間予測を行う場合、ＣｂとＣｒを予測するための予測パラメータをＹからそれぞれ誘導することもできる。又は、Ｃｒを予測するための予測パラメータをＣｂから誘導することができる。又は、Ｃｒを予測するための予測パラメータを誘導せず、Ｃｂを予測するためにＹから誘導した予測パラメータを用いることができる。
【０３６９】
次に、色成分間予測実行ステップについて説明する。
【０３７０】
前述したように、予測パラメータが誘導されると、誘導された予測パラメータのうちの少なくとも一つを用いて色成分間画面内予測を行うことができる。
【０３７１】
例えば、下記数式１９を用いて、再構成された第１色成分の復元された信号に前記誘導された予測パラメータを適用することにより、第２色成分対象ブロックに対する予測を行うことができる。
【数１９】
2020533822.tif 000022
【０３７２】
前記数式１９において、ｐ２［ｘ，ｙ］は、第２色成分対象ブロックの予測ブロックであり得る。ｐ１’［ｘ，ｙ］は、第１色成分ブロック又は再構成された第１色成分ブロックであり得る。
【０３７３】
又は、下記数式２０を用いて、再構成された第１色成分の残差信号に、前記誘導された予測パラメータを適用することにより、第２色成分対象ブロックに対する予測を行うことができる。
【数２０】
2020533822.tif 000023
【０３７４】
前記数式２０において、ｐ１’＿ｒｅｓｉｄｕａｌは、第１色成分の残差信号を示すことができる。また、ｐ２＿ｐｒｅｄは、第２色成分対象ブロックに対して画面内予測を行って予測した信号を示すことができる。
【０３７５】
前記誘導した予測パラメータが一つ以上である場合には、前記第１色成分の復元されたサンプルに前記一つ以上の予測パラメータを適用することができる。例えば、前記第１色成分の復元されたサンプルが特定の条件を満足する場合には、前記特定の条件を満足する参照サンプルから誘導された第１予測パラメータを適用して、色成分間画面内予測を行うことができる。また、前記第１色成分の復元されたサンプルが前記特定の条件を満足しない場合、前記特定の条件を満足しない参照サンプルから誘導された第２予測パラメータを適用して、色成分間画面内予測を行うことができる。前記特定の条件は、参照サンプルの値が前記第１色成分の参照サンプルの統計値（例えば、平均値）よりも小さい場合に該当することができる。
【０３７６】
前記色成分間予測方法は、画面間予測モードにも適用することができる。例えば、現在ブロックに対する画面間予測を行うにあたり、第１色成分に対しては、画面間予測を行い、第２色成分に対しては、色成分間予測又は画面間予測と色成分間予測とを組み合わせた予測を行うことができる。例えば、前記第１色成分は輝度成分であり、第２色成分は色差成分であり得る。また、前記色成分間予測は、第１色成分の符号化パラメータに応じて適応的に行うことができる。例えば、前記第１色成分のＣＢＦ情報に基づいて、前記色成分間予測を行うか否かを決定することができる。前記ＣＢＦ情報は、残差信号の存否を示す情報であり得る。すなわち、前記第１色成分のＣＢＦが１である場合、第２色成分に対して色成分間予測を行うことができる。前記第１色成分のＣＢＦが０である場合、第２色成分に対して色成分間予測を行わず、前記画面間予測を行うことができる。又は、前記色成分間予測を行うか否かを示すフラグをシグナリングすることができる。
【０３７７】
一つ以上の画面内予測モードを組み合わせて画面内予測を行うことができる。例えば、所定の非方向性画面内予測モードを用いて予測したブロックと、所定の方向性画面内予測モードを用いて予測したブロックとの重み付け平均を介して、前記現在ブロックに対する画面内予測ブロックを構成することができる。例えば、色成分間予測モードを用いて予測した値と所定の画面内予測モードを用いて予測した値との重み付け和を介して、画面内予測を行うことができる。このとき、重み（ｗｅｉｇｈｔｉｎｇ）値は、現在ブロックの画面内予測モード、現在ブロックのサイズ、現在ブロックの形状及び予測対象サンプルの位置のうちの少なくとも一つに基づいて異なるように決定できる。例えば、一つ以上の画面内予測モードを組み合わせるにあたり、現在ブロックに対する画面内予測モードを用いて予測した値と、ＭＰＭリストにある所定のモードを用いて予測した値との重み付け平均を介して、予測ブロックを構成することができる。前記一つ以上の画面内予測モードを組み合わせるにあたり、代表画面内予測モードを決定することができる。例えば、画面内予測モードに基づいて（例えば、変換、スキャニングなど）適応的に行われるステップは、前記代表画面内予測モードに基づくことができる。代表画面内予測モードは、大きい重みが割り当てられた画面内予測モードであり得る。又は、組み合わせた一つ以上の画面内予測モードのうち、非方向性モード又は方向性モードであり得る。前記一つ以上の予測モードを組み合わせるにあたり、一つの画面内予測モードで予測した値と一つの画面間予測モードで予測した値とを組み合わせることができる。
【０３７８】
一つ以上の参照サンプルセット（ｓｅｔ）を用いて画面内予測を行うことができる。例えば、前記構成された参照サンプルにフィルタリングを適用していない参照サンプルを用いて画面内予測を行ったブロックと、フィルタリングを適用した参照サンプルを用いて画面内予測を行ったブロックとの重み付け平均を介して、現在ブロックに対する画面内予測を行うことができる。
【０３７９】
前記画面内予測を行う過程で、周辺の復元されたサンプルを用いたフィルタリング過程を行うことができる。この時、前記フィルタリング過程を行うか否かは、現在ブロックの画面内予測モード、現在ブロックのサイズ及び現在ブロックの形状のうちの少なくとも一つに基づいて決定できる。前記フィルタリング過程は、前記画面内予測を行う過程に含まれて一つのステップで行われ得る。前記フィルタリング過程を行うにあたり、現在ブロックの画面内予測モード、ブロックのサイズ及び形状のうちの少なくとも一つに基づいて、フィルタタップ、係数、フィルタ形状、フィルタリング適用ライン数及びフィルタリング適用サンプル数のうちの少なくとも一つを異なるように決定することができる。
【０３８０】
前記現在ブロックがサブブロックに分割され、各サブブロックに対する画面内予測モードが周辺ブロックの画面内予測モードに基づいて誘導され、誘導された画面内予測モードに基づいて各サブブロックに対する画面内予測を行うにあたり、現在ブロック内の各サブブロックに対してフィルタリングを適用することができる。例えば、現在ブロックの全体にローパス（ｌｏｗ−ｐａｓｓ）フィルタを適用することができる。又は、各サブブロックの境界に位置するサンプルに対してフィルタを適用することができる。
【０３８１】
前記現在ブロックがサブブロックに分割されて各サブブロックに対する画面内予測を行うにあたり、各サブブロックは、符号化／復号化ブロック、予測ブロック及び変換ブロックのうちの少なくとも一つを意味することができる。例えば、現在ブロックのサイズが６４ｘ６４であり、サブブロックのサイズが１６ｘ１６である場合、各サブブロックに対して画面内予測モードを誘導し、画面内予測を行うことができる。このとき、前記一つ以上のサブブロックが８ｘ８又は４ｘ４にさらに分割される場合、各８ｘ８又は４ｘ４ブロックは、変換ブロックを意味することができ、前記１６ｘ１６ブロックに対する画面内予測モードを用いることができる。
【０３８２】
前記画面内予測を行った後、予測ブロックに対してフィルタリングを適用することができる。例えば、ローパス（ｌｏｗ−ｐａｓｓ）フィルタ及びバイラテラル（ｂｉｌａｔｅｒａｌ）フィルタのうちの少なくとも一つのフィルタを適用することができる。このとき、フィルタリングの適用有無は、現在ブロックの画面内予測モード、予測サンプルの位置、現在ブロックのサイズ及び現在ブロックの形状のうちの少なくとも一つに基づいて決定できる。又は、各予測されたサンプルごとに特定の条件を満たす場合にフィルタを適用することができる。前記予測ブロックに対してフィルタリングを適用するにあたり、複数の参照サンプルラインを用いることができる。例えば、現在ブロックと参照サンプルとの境界に位置した予測サンプルをフィルタリングするにあたり、隣接する２つ以上の参照サンプルラインを用いてフィルタリングを行うことができる。
【０３８３】
前記画面内予測を行って生成したブロック、及びレジデュアルブロックを用いて復元したブロックに対してフィルタリングを適用することができる。例えば、ローパス（ｌｏｗ−ｐａｓｓ）フィルタ及びバイラテラル（ｂｉｌａｔｅｒａｌ）フィルタのうちの少なくとも一つのフィルタを適用することができる。このとき、フィルタリングの適用有無は、現在ブロックの画面内予測モード、現在ブロックのサイズ及び現在ブロックの形状のうちの少なくとも一つに基づいて決定できる。又は、予測されたサンプルごとに特定の条件を満たす場合にフィルタを適用することができる。
【０３８４】
これらの実施形態は、符号化器及び復号化器で同様の方法で行われ得る。
【０３８５】
前記実施形態を適用する順序は、符号化器と復号化器で互いに異なってもよく、符号化器と復号化器で互いに同じであってもよい。
【０３８６】
輝度及び色差信号それぞれに対して前記実施形態を行うことができ、輝度及び色差信号に対する前記実施形態を同様に行うことができる。
【０３８７】
本発明の実施形態が適用されるブロックの形状は、正方形（ｓｑｕａｒｅ）或いは非正方形（ｎｏｎ−ｓｑｕａｒｅ）の形状を有することができる。
【０３８８】
本発明の前記実施形態は、符号化ブロック、予測ブロック、変換ブロック、ブロック、現在ブロック、符号化ユニット、予測ユニット、変換ユニット、ユニット及び現在ユニットのうちの少なくとも一つのサイズに応じて適用できる。ここでのサイズは、前記実施形態が適用されるために、最小サイズ及び／又は最大サイズに定義されてもよく、前記実施形態が適用される固定サイズに定義されてもよい。また、前記実施形態は、第１サイズでは第１実施形態が適用されてもよく、第２サイズでは第２実施形態が適用されてもよい。すなわち、前記実施形態は、サイズに応じて複合的に適用できる。また、本発明の前記実施形態は、最小サイズ以上及び最大サイズ以下の場合にのみ適用されてもよい。すなわち、前記実施形態は、ブロックサイズが一定の範囲内に含まれる場合にのみ適用されてもよい。
【０３８９】
例えば、現在ブロックのサイズが８×８以上である場合にのみ、前記実施形態が適用できる。例えば、現在ブロックのサイズが４×４である場合にのみ、前記実施形態が適用できる。例えば、現在ブロックのサイズが１６×１６以下である場合にのみ、前記実施形態が適用できる。例えば、現在ブロックのサイズが１６×１６以上６４×６４以下である場合にのみ、前記実施形態が適用できる。
【０３９０】
本発明の実施形態は、時間的階層（ｔｅｍｐｏｒａｌ  ｌａｙｅｒ）に応じて適用できる。前記実施形態が適用可能な時間的階層を識別するために、別途の識別子（ｉｄｅｎｔｉｆｉｅｒ）がシグナリングされ、当該識別子によって特定された時間的階層に対して前記実施形態が適用できる。ここでの識別子は、前記実施形態が適用可能な最下位階層及び／又は最上位階層と定義されてもよく、前記実施形態が適用される特定の階層を指示するものと定義されてもよい。また、前記実施形態が適用される固定された時間的階層が定義されてもよい。
【０３９１】
例えば、現在画像の時間的階層が最下位階層である場合にのみ、前記実施形態が適用できる。例えば、現在画像の時間的階層識別子が１以上である場合にのみ、前記実施形態が適用できる。例えば、現在画像の時間的階層が最上位階層である場合にのみ、前記実施形態が適用できる。
【０３９２】
本発明の実施形態が適用されるスライスタイプ（ｓｌｉｃｅ  ｔｙｐｅ）が定義され、当該スライスタイプに応じて本発明の前記実施形態が適用できる。
【０３９３】
上述した実施形態において、これらの方法は、一連のステップ又はユニットであって、フローチャートに基づいて説明されているが、本発明は、これらのステップの順序に限定されるものではなく、あるステップは、上述したのとは異なるステップと異なる順序で又は同時に発生することができる。また、当該技術分野における通常の知識を有する者であれば、フローチャートに示されたステップが排他的ではなく、他のステップが含まれるか、フローチャートの一つ又はそれ以上のステップが本発明の範囲に影響することなく削除できることを理解することができるだろう。
【０３９４】
上述した実施形態は、様々な態様の例示を含む。様々な態様を示すためのすべての可能な組み合わせを記述することはできないが、当該技術分野における通常の知識を有する者は、他の組み合わせが可能であることを認識することができるだろう。よって、本発明は、以下の特許請求の範囲内に属するすべての様々な交替、修正及び変更を含むといえる。
【０３９５】
以上説明した本発明に係る実施形態は、様々なコンピュータ構成要素を介して実行できるプログラム命令の形で実現され、コンピュータ可読記録媒体に記録できる。前記コンピュータ可読記録媒体は、プログラム命令、データファイル、データ構造などを単独で又は組み合わせて含むことができる。前記コンピュータ可読記録媒体に記録されるプログラム命令は、本発明のために特別に設計及び構成されたもの、又はコンピュータソフトウェア分野の当業者に公知されて使用可能なものである。コンピュータ可読記録媒体の例には、ハードディスク、フロッピーディスク及び磁気テープなどの磁気媒体、ＣＤ−ＲＯＭ、ＤＶＤなどの光記録媒体、フロプティカルディスク（ｆｌｏｐｔｉｃａｌ  ｄｉｓｋ）などの磁気−光媒体（ｍａｇｎｅｔｏ−ｏｐｔｉｃａｌ  ｍｅｄｉａ）、及びＲＯＭ、ＲＡＭ、フラッシュメモリなどのプログラム命令を保存し実行するように特別に構成されたハードウェア装置が含まれる。プログラム命令の例には、コンパイラによって作られる機械語コードだけでなく、インタプリターなどを用いてコンピュータによって実行できる高級言語コードも含まれる。前記ハードウェア装置は、本発明に係る処理を行うために一つ以上のソフトウェアモジュールとして作動するように構成でき、その逆も同様である。
【０３９６】
以上で、本発明が、具体的な構成要素などの特定の事項、限定された実施形態及び図面によって説明されたが、これは本発明のより全般的な理解を助けるために提供されたものに過ぎず、本発明は前記実施形態に限定されるものではない。本発明の属する技術分野における通常の知識を有する者であれば、このような記載から多様な修正及び変形を図ることができる。
【０３９７】
よって、本発明の思想は、上述した実施形態に限定されて定められてはならず、後述する特許請求の範囲だけでなく、この特許請求の範囲と均等に又は等価的に変形したすべてのものは本発明の思想の範疇に属するというべきである。
【産業上の利用可能性】
【０３９８】
本発明は、画像を符号化／復号化することに利用可能である。
【図１】
2020533822.tif 000024
【図２】
2020533822.tif 000025
【図３】
2020533822.tif 000026
【図４】
2020533822.tif 000027
【図５】
2020533822.tif 000028
【図６】
2020533822.tif 000029
【図７】
2020533822.tif 000030
【図８】
2020533822.tif 000031
【図９】
2020533822.tif 000032
【図１０】
2020533822.tif 000033
【図１１】
2020533822.tif 000034
【図１２】
2020533822.tif 000035
【図１３】
2020533822.tif 000036
【図１４】
2020533822.tif 000037
【図１５】
2020533822.tif 000038
【図１６】
2020533822.tif 000039
【図１７】
2020533822.tif 000040
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
画像復号装置によって実施される画像復号方法であって、
現在ブロックのイントラ予測モードを再構築するステップと、
前記現在ブロックに隣接する複数の参照サンプルラインのうちから選択された１つの参照サンプルラインに基づいて、前記現在ブロックのイントラ予測のための参照サンプルを設定するステップと、
前記イントラ予測モード及び前記参照サンプルに基づいて、前記現在ブロックに対するイントラ予測を実施するステップと、
を含む画像復号方法。
【請求項２】
前記１つの参照サンプルラインは、前記現在ブロックが属する現在の符号化ツリーブロック内の前記現在ブロックの位置に基づいて、前記現在ブロックに隣接する複数の参照サンプルラインのうちから選択される、
請求項１に記載の画像復号方法。
【請求項３】
前記現在ブロックの上側境界が前記現在の符号化ツリーブロックの上側境界と同じである場合、前記複数の参照サンプルラインのうちの前記現在ブロックに隣接する第１参照サンプルラインが、前記１つの参照サンプルラインとして選択される、
請求項２に記載の画像復号方法。
【請求項４】
前記１つの参照サンプルラインは、前記現在ブロックに隣接する前記複数の参照サンプルラインのうちの１つを指示する参照サンプルラインインジケータに基づいて、選択され、
前記参照サンプルラインインジケータは、ビットストリームに含まれてシグナリングされる、
請求項１に記載の画像復号方法。
【請求項５】
前記現在ブロックの上側境界が現在の符号化ツリーブロックの上側境界と同じである場合、前記参照サンプルラインインジケータは、前記ビットストリームに含まれない、
請求項４に記載の画像復号方法。
【請求項６】
前記１つの参照サンプルラインは、前記現在ブロックの色成分に基づいて、前記現在ブロックに隣接する前記複数の参照サンプルラインのうちから選択される、
請求項１に記載の画像復号方法。
【請求項７】
前記現在ブロックのイントラ予測に利用可能な前記複数の参照サンプルラインの数は、前記現在ブロックのイントラ予測モードに基づき異なって決定される、
請求項１に記載の画像復号方法。
【請求項８】
前記参照サンプルを設定するステップは、参照サンプルフィルタリングステップを更に含み、
前記参照サンプルフィルタリングステップは、選択された前記参照サンプルラインが前記現在ブロックに隣接する第１参照サンプルラインである場合にのみ実施される、
請求項１に記載の画像復号方法。
【請求項９】
前記現在ブロックに対するイントラ予測を実施するステップは、前記現在ブロックに対する補間フィルタを決定することを含み、
前記補間フィルタは、前記現在ブロックのサイズ、前記現在ブロックのイントラ予測モード、選択された前記参照サンプルライン、及び、前記現在ブロックの色成分に基づいて、決定される、
請求項１に記載の画像復号方法。
【請求項１０】
前記現在ブロックの色成分が輝度成分である場合、前記補間フィルタは、４−タップフィルタであり、
前記現在ブロックの色成分が色差成分である場合、前記補間フィルタは、２−タップフィルタである、
請求項９に記載の画像復号方法。
【請求項１１】
画像符号化装置によって実施される画像符号化方法であって、
現在ブロックのイントラ予測モードを決定するステップと、
前記現在ブロックに隣接する複数の参照サンプルラインのうちから選択された１つの参照サンプルラインに基づいて、前記現在ブロックのイントラ予測のための参照サンプルを設定するステップと、
前記イントラ予測モード及び前記参照サンプルに基づいて、前記現在ブロックに対するイントラ予測を実施するステップと、
を含む画像符号化方法。
【請求項１２】
前記１つの参照サンプルラインは、前記現在ブロックが属する現在の符号化ツリーブロック内の前記現在ブロックの位置に基づいて、前記現在ブロックに隣接する複数の参照サンプルラインのうちから選択される、
請求項１１に記載の画像符号化方法。
【請求項１３】
前記現在ブロックの上側境界が前記現在の符号化ツリーブロックの上側境界と同じである場合、前記複数の参照サンプルラインのうちの前記現在ブロックに隣接する第１参照サンプルラインが、前記１つの参照サンプルラインとして選択される、
請求項１２に記載の画像符号化方法。
【請求項１４】
前記現在ブロックに隣接する前記複数の参照サンプルラインのうちの１つを指示する参照サンプルラインインジケータを、ビットストリームにおいて符号化する、
請求項１１に記載の画像符号化方法。
【請求項１５】
前記１つの参照サンプルラインは、前記現在ブロックの色成分に基づいて、前記現在ブロックに隣接する前記複数の参照サンプルラインのうちから選択される、
請求項１１に記載の画像符号化方法。
【請求項１６】
前記現在ブロックのイントラ予測に利用可能な前記複数の参照サンプルラインの数は、前記現在ブロックのイントラ予測モードに基づき異なって決定される、
請求項１１に記載の画像符号化方法。
【請求項１７】
前記参照サンプルを設定するステップは、参照サンプルフィルタリングステップを含み、
前記参照サンプルフィルタリングステップは、選択された前記参照サンプルラインが前記現在ブロックに隣接する第１参照サンプルラインである場合にのみ実施される、
請求項１１に記載の画像符号化方法。
【請求項１８】
前記現在ブロックに対するイントラ予測を実施するステップは、前記現在ブロックに対する補間フィルタを決定することを含み、
前記補間フィルタは、前記現在ブロックのサイズ、前記現在ブロックのイントラ予測モード、選択された前記参照サンプルライン、及び、前記現在ブロックの色成分に基づいて、決定される、
請求項１１に記載の画像符号化方法。
【請求項１９】
前記現在ブロックの色成分が輝度成分である場合、前記補間フィルタは、４−タップフィルタであり、
前記現在ブロックの色成分が色差成分である場合、前記補間フィルタは、２−タップフィルタである、
請求項１８に記載の画像符号化方法。
【請求項２０】
画像符号化方法によって生成されたビットストリームを保存したコンピュータ可読記録媒体であって、
前記画像符号化方法は、
現在ブロックのイントラ予測モードを決定するステップと、
前記現在ブロックに隣接する複数の参照サンプルラインのうちから選択された１つの参照サンプルラインに基づいて、前記現在ブロックのイントラ予測のための参照サンプルを設定するステップと、
前記イントラ予測モード及び前記参照サンプルに基づいて、前記現在ブロックに対するイントラ予測を実施するステップと、
を含む記録媒体。
【国際調査報告】
2020533822.tif 000041
2020533822.tif 000042
2020533822.tif 000043
2020533822.tif 000044